(57)【特許請求の範囲】
【請求項１】
無線通信のための装置であって、
送信時間インタバル（ＴＴＩ）に関し、チャネライゼーション・コードからなる第１のコード・セットを、少なくとも１つの端末からなる第１の端末セットに割り当て、
前記第１の端末セットにおけるおのおのの端末のデータを、前記端末に割り当てられた少なくとも１つのチャネライゼーション・コードを用いて拡散し、
前記第１のコード・セットにおけるチャネライゼーション・コードに基づいて、時分割多重化（ＴＤＭ）パイロットを生成し、
前記ＴＤＭパイロットを、前記ＴＴＩ内の時間セグメントにマップし、
前記第１の端末セットについて拡散されたデータを、前記ＴＴＩの残りの部分にマップする
ように構成された少なくとも１つのプロセッサと、
前記少なくとも１つのプロセッサに結合されたメモリと
を備え、前記ＴＴＩは、３つのスロットを備え、前記ＴＤＭパイロットのための前記時間セグメントは、前記ＴＴＩにおける前記３つのスロットのうちの第１のスロットの終了時、または前記ＴＴＩにおける前記３つのスロットのうちの中央のスロット、のうちの１つに位置する、装置。
【請求項２】
前記少なくとも１つのプロセッサは、前記ＴＴＩ全体にわたって、少なくとも１つのチャネライゼーション・コードを、少なくとも１つの端末に割り当てるように構成される、請求項１に記載の装置。
【請求項３】
前記少なくとも１つのプロセッサは、
前記ＴＴＩにわたって、チャネライゼーション・コードからなる第２のコード・セットを、少なくとも１つの端末からなる第２の端末セットに割り当て、
前記第２の端末セットにおけるおのおのの端末のデータを、前記端末に割り当てられた少なくとも１つのチャネライゼーション・コードを用いて拡散し、
前記ＴＴＩ全体にわたって、前記第２の端末セットについて、拡散されたデータをマップする
請求項１に記載の装置。
【請求項４】
前記第１のコード・セットにおけるチャネライゼーション・コードと、前記第２のコード・セットにおけるチャネライゼーション・コードとは、同じ拡散係数を有する請求項３に記載の装置。
【請求項５】
前記第２のコード・セットにおけるチャネライゼーション・コードは、前記第１のコード・セットにおけるチャネライゼーション・コードよりも大きな拡散係数を有する請求項３に記載の装置。
【請求項６】
前記少なくとも１つのプロセッサは、
前記ＴＴＩにわたって、チャネライゼーション・コードからなる第２のコード・セットを、少なくとも１つの端末からなる第２の端末セットに割り当て、
前記第２の端末セットにおけるおのおのの端末のデータを、前記端末に割り当てられた少なくとも１つのチャネライゼーション・コードを用いて拡散し、
前記第２の端末セットについて拡散されたデータを、前記残りの部分にマップし、
さらに前記第２のコード・セットにおけるチャネライゼーション・コードに基づいて、前記ＴＤＭパイロットを生成し、
前記生成されたＴＤＭパイロットを、前記ＴＴＩにマップして送信するように構成され、
前記ＴＤＭパイロットは、前記第２の端末セットにおける少なくとも１つの端末によって処理されず、
前記第1の端末セットは、前記ＴＤＭパイロットをサポートする端末および前記ＴＤＭパイロットをサポートしない端末からなる、請求項１に記載の装置。
【請求項７】
前記第１のコード・セットにおけるチャネライゼーション・コードと、前記第２のコード・セットにおけるチャネライゼーション・コードとは、等しい拡散係数を有する請求項６に記載の装置。
【請求項８】
前記少なくとも１つのプロセッサは、
前記ＴＴＩにわたって、チャネライゼーション・コードからなる第３のコード・セットを、少なくとも１つの端末からなる第３の端末セットに割り当て、
前記第３の端末セットにおけるおのおのの端末のデータを、前記端末に割り当てられた少なくとも１つのチャネライゼーション・コードを用いて拡散し、
前記第３の端末セットについて拡散されたデータを、前記ＴＴＩ全体にわたってマップし、ここで、前記ＴＤＭパイロットは、前記第３の端末セットにおける少なくとも１つの端末によって処理されない請求項７に記載の装置。
【請求項９】
前記少なくとも１つのプロセッサは、
前記ＴＤＭパイロット、および、前記第１の端末セットについて拡散されたデータを、高速物理ダウンリンク共有チャネル（ＨＳ−ＰＤＳＣＨ）で送信し、
前記第１の端末セットにおけるおのおのの端末に向けられたシグナリングを、ＨＳ−ＰＤＳＣＨの共有制御チャネル（ＨＳ−ＳＣＣＨ）で送信する
請求項１に記載の装置。
【請求項１０】
無線通信のための方法であって、
送信時間インタバル（ＴＴＩ）にわたって、チャネライゼーション・コードからなる第１のコード・セットを、少なくとも１つの端末からなる第１の端末セットに割り当てることと、
前記第１の端末セットにおけるおのおのの端末のデータを、前記端末に割り当てられた少なくとも１つのチャネライゼーション・コードを用いて拡散することと、
前記第１のコード・セットにおけるチャネライゼーション・コードに基づいて、時分割多重化（ＴＤＭ）パイロットを生成することと、
前記ＴＤＭパイロットを、前記ＴＴＩ内の時間セグメントにマップすることと、
前記第１の端末セットについて拡散されたデータを、前記ＴＴＩの残りの部分にマップすることと
を備え、前記ＴＴＩは、３つのスロットを備え、前記ＴＤＭパイロットのための前記時間セグメントは、前記ＴＴＩにおける前記３つのスロットのうちの第１のスロットの終了時、または前記ＴＴＩにおける前記３つのスロットのうちの中央のスロット、のうちの１つに位置する、方法。
【請求項１１】
前記第１のコード・セットを前記第１の端末セットに割り当てることは、前記ＴＴＩ全体にわたって、少なくとも１つのチャネライゼーション・コードを少なくとも１つの端末に割り当てることを備える、請求項１０に記載の方法。
【請求項１２】
前記ＴＴＩにわたって、チャネライゼーション・コードからなる第２のコード・セットを、少なくとも１つの端末からなる第２の端末セットに割り当てることと、
前記第２の端末セットにおけるおのおのの端末のデータを、前記端末に割り当てられた少なくとも１つのチャネライゼーション・コードを用いて拡散することと、
前記ＴＴＩ全体にわたって、前記第２の端末セットについて、拡散されたデータをマップすることと
をさらに備える請求項１０に記載の方法。
【請求項１３】
前記ＴＴＩにわたって、チャネライゼーション・コードからなる第２のコード・セットを、少なくとも１つの端末からなる第２の端末セットに割り当てることと、
前記第２の端末セットにおけるおのおのの端末のデータを、前記端末に割り当てられた少なくとも１つのチャネライゼーション・コードを用いて拡散することと、
前記第２の端末セットについて拡散されたデータを、前記残りの部分にマップすることと、
さらに前記第２のコード・セットにおけるチャネライゼーション・コードに基づいて、前記ＴＤＭパイロットを生成することと、
前記生成されたＴＤＭパイロットを、前記ＴＴＩにマップして送信することと
をさらに備え、
前記ＴＤＭパイロットは、前記第２の端末セットにおける前記少なくとも１つの端末によって処理されず、
前記第１の端末セットは、前記ＴＤＭパイロットをサポートする端末および前記ＴＤＭパイロットをサポートしない端末からなる、請求項１０に記載の方法。
【請求項１４】
無線通信のための装置であって、
送信時間インタバル（ＴＴＩ）にわたって、チャネライゼーション・コードからなる第１のコード・セットを、少なくとも１つの端末からなる第１の端末セットに割り当てる手段と、
前記第１の端末セットにおけるおのおのの端末のデータを、前記端末に割り当てられた少なくとも１つのチャネライゼーション・コードを用いて拡散する手段と、
前記第１のコード・セットにおけるチャネライゼーション・コードに基づいて、時分割多重化（ＴＤＭ）パイロットを生成する手段と、
前記ＴＤＭパイロットを、前記ＴＴＩ内の時間セグメントにマップする手段と、
前記第１の端末セットについて拡散されたデータを、前記ＴＴＩの残りの部分にマップする手段と
を備え、前記ＴＴＩは、３つのスロットを備え、前記ＴＤＭパイロットのための前記時間セグメントは、前記ＴＴＩにおける前記３つのスロットのうちの第１のスロットの終了時、または前記ＴＴＩにおける前記３つのスロットのうちの中央のスロット、のうちの１つに位置する、装置。
【請求項１５】
前記第１のコード・セットを前記第１の端末セットに割り当てる手段は、前記ＴＴＩ全体にわたって、少なくとも１つのチャネライゼーション・コードを、少なくとも１つの端末に割り当てるように構成される、請求項１４に記載の装置。
【請求項１６】
前記ＴＴＩにわたって、チャネライゼーション・コードからなる第２のコード・セットを、少なくとも１つの端末からなる第２の端末セットに割り当てる手段と、
前記第２の端末セットにおけるおのおのの端末のデータを、前記端末に割り当てられた少なくとも１つのチャネライゼーション・コードを用いて拡散する手段と、
前記第２の端末セットについて拡散されたデータを、前記ＴＴＩ全体にわたってマップする手段と
をさらに備える請求項１４に記載の装置。
【請求項１７】
前記ＴＴＩにわたって、チャネライゼーション・コードからなる第２のコード・セットを、少なくとも１つの端末からなる第２の端末セットに割り当てる手段と、
前記第２の端末セットにおけるおのおのの端末のデータを、前記端末に割り当てられた少なくとも１つのチャネライゼーション・コードを用いて拡散する手段と、
前記第２の端末セットについて拡散されたデータを、前記残りの部分にマップする手段と、
さらに前記第２のコード・セットにおけるチャネライゼーション・コードに基づいて、前記ＴＤＭパイロットを生成する手段と、
前記生成されたＴＤＭパイロットを、前記ＴＴＩにマップして送信する手段と
をさらに備え、
前記ＴＤＭパイロットは、前記第２の端末セットにおける少なくとも１つの端末によって処理されず、
前記第１の端末セットは、前記ＴＤＭパイロットをサポートする端末および前記ＴＤＭパイロットをサポートしない端末からなる、請求項１４に記載の装置。
【請求項１８】
無線通信のための装置であって、
送信時間インタバル（ＴＴＩ）にわたって、少なくとも１つのチャネライゼーション・コードの端末に対する割り当てを受信し、
少なくとも１つの端末の第１からなる端末セットに対する、チャネライゼーション・コードからなる第１のコード・セットの割り当てを受信し、
前記ＴＴＩ内の時間セグメントから、時分割多重化（ＴＤＭ）パイロットを受信し、
前記ＴＴＩの残りの部分から、データを受信し、
前記受信したデータを、前記端末に割り当てられた少なくとも１つのチャネライゼーション・コードを用いて逆拡散し、
前記ＴＤＭパイロットを、前記端末に割り当てられた少なくとも１つのチャネライゼーション・コードを含む前記第１のコード・セットに基づいて逆拡散する
ように構成された少なくとも１つのプロセッサと、
前記少なくとも１つのプロセッサに結合されたメモリと
を備え、
前記ＴＴＩは、３つのスロットを備え、前記ＴＤＭパイロットのための前記時間セグメントは、前記ＴＴＩにおける前記３つのスロットのうちの第１のスロットの終了時、または前記ＴＴＩにおける前記３つのスロットのうちの中央のスロット、のうちの１つに位置する、装置。
【請求項１９】
前記第１のコード・セットの割り当ては、前記ＴＴＩ全体にわたる、少なくとも１つの端末に対する少なくとも１つのチャネライゼーション・コードの割り当てを含む、請求項１８に記載の装置。
【請求項２０】
前記少なくとも１つのプロセッサは、前記ＴＤＭパイロットに基づいてチャネル推定値を導出し、前記受信したデータを取得するために、前記チャネル推定値に基づいてデータ・チャネルを処理する請求項１８に記載の装置。
【請求項２１】
前記少なくとも１つのプロセッサは、
前のＴＴＩからＴＤＭパイロットを受信し、
前記前のＴＴＩからのＴＤＭパイロットに基づいてチャネル推定値を導出し、
前記端末に対する、前記少なくとも１つのチャネライゼーション・コードの割り当てを取得するために、前記チャネル推定値に基づいてシグナリング・チャネルを処理する
請求項１８に記載の装置。
【請求項２２】
前記第１のコード・セットにおけるチャネライゼーション・コードは、前記ＴＤＭパイロットを処理することが可能な端末に割り当てられている請求項１８に記載の装置。
【請求項２３】
前記第１のコード・セットにおける少なくとも１つのチャネライゼーション・コードは、前記ＴＤＭパイロットを処理することができない端末に割り当てられている請求項１８に記載の装置。
【請求項２４】
無線通信のための方法であって、
送信時間インタバル（ＴＴＩ）にわたって、少なくとも１つのチャネライゼーション・コードの端末に対する割り当てを受信することと、
少なくとも１つの端末の第１からなる端末セットに対する、チャネライゼーション・コードからなる第１のコード・セットの割り当てを受信することと、
前記ＴＴＩ内の時間セグメントから、時分割多重化（ＴＤＭ）パイロットを受信することと、
前記ＴＴＩの残りの部分から、データを受信することと、
前記受信したデータを、前記端末に割り当てられた少なくとも１つのチャネライゼーション・コードを用いて逆拡散することと、
前記ＴＤＭパイロットを、前記端末に割り当てられた少なくとも１つのチャネライゼーション・コードを含む前記第１のコード・セットに基づいて逆拡散することとを備え、
前記ＴＴＩは、３つのスロットを備え、前記ＴＤＭパイロットのための前記時間セグメントは、前記ＴＴＩにおける前記３つのスロットのうちの第１のスロットの終了時、または前記ＴＴＩにおける前記３つのスロットのうちの中央のスロット、のうちの１つに位置する、方法。
【請求項２５】
前記第１のコード・セットの割り当ては、前記ＴＴＩ全体にわたる、少なくとも１つの端末に対する少なくとも１つのチャネライゼーション・コードの割り当てを含む、請求項２４に記載の方法。
【請求項２６】
前記ＴＤＭパイロットに基づいてチャネル推定値を導出することと、
前記受信したデータを取得するために、前記チャネル推定値に基づいてデータ・チャネルを処理することと
をさらに備える請求項２４に記載の方法。
【請求項２７】
前のＴＴＩからＴＤＭパイロットを受信することと、
前記前のＴＴＩからのＴＤＭパイロットに基づいてチャネル推定値を導出することと、
前記端末に対する、前記少なくとも１つのチャネライゼーション・コードの割り当てを取得するために、前記チャネル推定値に基づいてシグナリング・チャネルを処理することと
をさらに備える請求項２４に記載の方法。
【発明の詳細な説明】
【同時係属出願に対する参照】
【０００１】
本願は、以下の同時係属米国出願に関連している。２００６年８月１０日に出願され、本願の譲受人に譲渡され、本明細書において参照によって明確に組み込まれている"TRANSMISSION STRUCTURE SUPPORTING MULTI-USER SCHEDULING AND MIMO TRANSMISSION"と題された米国出願１１／５０２，８８２号。
【技術分野】
【０００２】
本開示は、一般に通信に関し、さらに詳しくは、無線通信ネットワークにおいてデータを送信する技術に関する。
【背景技術】
【０００３】
無線多元接続通信ネットワークは、ダウンリンクおよびアップリンクで複数の端末と同時に通信しうる。ダウンリンク（すなわちフォワード・リンク）は、基地局から端末への通信リンクを称し、アップリンク（すなわちリバース・リンク）は、端末から基地局への通信リンクを称する。複数の端末は同時に、ダウンリンクでシグナリングおよびデータを受信し、アップリンクでシグナリングおよびデータを送信する。これは、直交されるべき送信を（例えばダウンリンクにおいて）互いに多重化することによって、および／または、（例えばアップリンクにおいて）他の送信に対する干渉を低減しながら、送信のための所望の受信信号品質を得るために、おのおのの送信の送信電力を制御することによって達成されうる。
【０００４】
基地局は、有効範囲領域内の多くの端末へデータを送信することができる。パフォーマンスを向上するために、基地局は、送信時間インタバル（ＴＴＩ）のおのおのにおいて、可変数の端末をスケジュールできることが望ましい。ＴＴＩは、１または複数の端末への送信のためにデータ・パケットがスケジュールされうる最も短い時間の単位である。さらにパフォーマンスを向上するために、基地局は、複数のアンテナを利用して、複数のデータ・ストリームを複数の端末へ同時に送信することができる。これらのデータ・ストリームは、ラジオ環境によって歪められ、おのおのの受信端末において、互いに対する干渉として作用する。干渉は、端末へ向けて送信されたデータ・ストリームを復元する各端末の能力を低下させる。
【０００５】
したがって、当該技術分野では、複数の端末へデータを効率的に送信する技術に対するニーズがある。
【発明の概要】
【０００６】
本明細書では、マルチ・ユーザ・スケジューリング、複数入力複数出力（ＭＩＭＯ）送信、および干渉除去をサポートする方式でデータを送信する技術が記載される。これらの技術は、パフォーマンスを向上させる。
【０００７】
典型的な実施形態によれば、少なくとも１つのプロセッサおよびメモリを含む装置が記載される。このプロセッサは、ＴＴＩの複数の時間セグメントを、少なくとも１つの端末に割り当て、おのおのの端末のデータを、端末に割り当てられた少なくとも１つの時間セグメントへマップし、ＴＴＩで使用される少なくとも１つのチャネライゼーション・コードを用いて、おのおのの時間セグメントにおけるデータを拡散する。
【０００８】
別の典型的な実施形態によれば、少なくとも１つのプロセッサおよびメモリを含む装置が記載される。このプロセッサは、ＴＴＩの複数の時間セグメントから、少なくとも１つの時間セグメントの割当を受信し、少なくとも１つの時間セグメントのための入力サンプルを取得し、ＴＴＩで使用される少なくとも１つのチャネライゼーション・コードを用いて入力サンプルを逆拡散する。
【０００９】
また別の典型的な実施形態によれば、少なくとも１つのプロセッサおよびメモリを含む装置が記載される。このプロセッサは、ＴＴＩに関し、チャネライゼーション・コードの第１のセットを、少なくとも１つの端末の第１のセットへ割り当て、端末に割り当てられた少なくとも１つのチャネライゼーション・コードを用いて、第１のセット内のおのおのの端末のデータを拡散し、第１のセット内のチャネライゼーション・コードに基づいて、時分割多重化（ＴＤＭ）パイロットを生成し、ＴＤＭパイロットをＴＴＩ内の時間セグメントへマップし、少なくとも１つの端末の第１のセットの拡散データを、ＴＴＩの残りの部分にマップする。
【００１０】
また別の典型的な実施形態によれば、少なくとも１つのプロセッサおよびメモリを含む装置が記載される。このプロセッサは、ＴＴＩに関し、端末のための少なくとも１つのチャネライゼーション・コードの割当を受信し、端末に割り当てられた少なくとも１つのチャネライゼーション・コードを含むチャネライゼーション・コードの第１のセットに基づいて生成されるＴＤＭパイロットを、ＴＴＩ内の時間セグメントから受信し、ＴＴＩの残りの部分からデータを受信し、受信したデータを、端末に割り当てられた少なくとも１つのチャネライゼーション・コードを用いて逆拡散する。
【００１１】
本発明のさまざまな態様および典型的な実施形態が、以下にさらに記載される。
【図面の簡単な説明】
【００１２】
【図１】図１は、無線通信ネットワークを示す。
【図２】図２は、Ｗ−ＣＤＭＡにおけるフレーム・フォーマットを示す。
【図３】図３は、ＨＳＤＰＡにおけるＨＳ−ＰＤＳＣＨのためのＣＤＭフォーマットを示す。
【図４Ａ】図４Ａは、ＨＳＤＰＡにおけるＨＳ−ＰＤＳＣＨのためのＴＤＭフォーマットを示す。
【図４Ｂ】図４Ｂは、ＭＩＭＯを用いたＨＳＤＰＡにおけるＨＳ−ＰＤＳＣＨのためのＴＤＭフォーマットを示す。
【図４Ｃ】図４Ｃは、ＴＤＭフォーマットを用いたＨＳＤＰＡのための典型的な送信を示す。
【図４Ｄ】図４Ｄは、ＴＴＩにおける時間セグメントの端末への割り当てを示す。
【図５Ａ】図５Ａは、ＨＳＤＰＡにおけるＨＳ−ＰＤＳＣＨのためのＴＤＭパイロットを用いたＣＤＭフォーマットを示す。
【図５Ｂ】図５Ｂは、ＨＳ−ＰＤＳＣＨのためのＴＤＭパイロットを用いた別のＣＤＭフォーマットを示す。
【図６】図６は、ＴＤＭパイロットの典型的な送信スキームを示す。
【図７】図７は、基地局と端末とのブロック図を示す。
【図８】図８は、ＴＸデータ・プロセッサおよびＴＸ空間プロセッサを示す。
【図９】図９は、連続干渉除去を備えたＲＸプロセッサを示す。
【図１０】図１０は、ダウンリンク送信のために基地局によって実行される処理を示す。
【図１１】図１１は、ダウンリンク・データ受信のために端末によって実行される処理を示す。
【図１２】図１２は、ダウンリンク・データ送信の別の処理を示す。
【図１３】図１３は、ダウンリンク・データ受信の別の処理を示す。
【発明を実施するための形態】
【００１３】
「典型的」という用語は「一例、事例あるいは実例として役立つ」ことを意味するために本明細書で使用される。本明細書で「典型的」と記載される任意の典型的な実施形態は、他の典型的な実施形態よりも好適であるとか有利であるとか必ずしも解釈される必要はない。
【００１４】
図１は、複数の基地局１１０と複数の端末１２０とを備えた無線通信ネットワーク１００を示す。基地局は一般に、端末と通信する固定局であり、ノードＢ、アクセス・ポイント、基地トランシーバ・サブシステム（ＢＴＳ）、あるいはその他いくつかの専門用語としても称されうる。おのおのの基地局１１０は、特定の地理的領域のために通信有効範囲を提供し、有効範囲領域内に位置する端末のための通信をサポートする。システム・コントローラ１３０は、基地局１１０へ連結しており、これら基地局のための調整および制御を提供する。システム・コントローラ１３０は単一のネットワーク・エンティティあるいはネットワーク・エンティティの集合でありうる。
【００１５】
端末１２０は、システム全体にわたって分布しうる。また、おのおのの端末は、据置式または移動式でありうる。端末はまた、ユーザ機器（ＵＥ）、移動局（ＭＳ）、アクセス端末（ＡＴ）、加入者ユニット、局（ＳＴＡ）、あるいはその他いくつかの用語で称されうる。端末は、セルラ電話、無線デバイス、携帯情報端末（ＰＤＡ）、ハンドヘルド・デバイス、無線モデム、ラップトップ・コンピュータ等でありうる。端末は、（２つの矢印を持つ実線で示されるように）基地局とアクティブに通信することができる。あるいは、パイロットを受信し、基地局と（２つの矢印を持つ破線で示されるように）シグナリングを交換することができる。「端末」、「ユーザ」という用語は、本明細書において置換可能に使用される。
【００１６】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、および直交ＦＤＭＡ（ＯＦＤＭＡ）ネットワークのようなさまざまな無線通信ネットワークのために使用されうる。「ネットワーク」、「システム」という用語は、しばしば置換可能に使用される。ＣＤＭＡネットワークは、広帯域ＣＤＭＡ（Ｗ−ＣＤＭＡ、ＵＭＴＳ）、ｃｄｍａ２０００等のようなラジオ技術を実現することができる。ｃｄｍａ２０００は、ＩＳ−２０００規格、ＩＳ−８５６規格、およびＩＳ−９５規格をカバーする。ＴＤＭＡネットワークは、グローバル移動体通信システム（ＧＳＭ（登録商標））のようなラジオ技術を実現することができる。当該技術分野では、これらさまざまなラジオ技術および規格が知られている。Ｗ−ＣＤＭＡおよびＧＳＭは、「第３世代パートナシップ計画」（３ＧＰＰ）と命名された組織からの文書に記載される。ｃｄｍａ２０００は、「第３世代パートナシップ計画２」（３ＧＰＰ２）と命名された組織からの文書に記載される。これら技術は、アップリンク送信にもダウンリンク送信にも使用されうる。明瞭化のために、これら技術は、以下において、Ｗ−ＣＤＭＡを利用するユニバーサル・モバイル・テレコミュニケーション・システム（ＵＭＴＳ）ネットワークにおけるダウンリンク送信について記載されている。
【００１７】
ＵＭＴＳでは、端末のためのデータが、高次レイヤにおいて、１または複数の伝送チャネルとして処理される。伝送チャネルは、例えば音声、ビデオ、パケット・データ等のような１または複数のサービスのためのデータを搬送する。伝送チャネルは、物理レイヤにおいて物理チャネルへマップされる。（同期チャネル（ＳＣＨ）を除く）物理チャネルは、別々のチャネライゼーション・コードを用いてチャネル化され、１つの符号領域において、互いに直交する。３ＧＰＰ改訂５以降は、高速ダウンリンク・パケット・アクセス（ＨＳＤＰＡ）をサポートする。これは、ダウンリンクでの高速パケット・データ送信を可能にする手続きおよびチャネルのセットである。
【００１８】
表１は、ＨＳＤＰＡのために使用されるダウンリンク・チャネルおよびアップリンク・チャネルを列挙しており、おのおののチャネルを簡潔に説明している。端末のためのラジオ・リンクは、ゼロ、１、あるいは複数のＨＳ−ＳＣＣＨと、ゼロ、１、あるいは複数のＨＳ−ＰＤＳＣＨとを含む。  
【表１】
0005551287.tif 000002
【００１９】
図２は、Ｗ−ＣＤＭＡにおけるフレーム・フォーマットを示す。送信用のタイムラインがラジオ・フレームに分割される。ダウンリンクにおけるラジオ・フレームが、ＳＣＨと同じタイミングを持つ共通パイロット・チャネル（ＣＰＩＣＨ）のタイミングに関して定義される。おのおののラジオ・フレームは、１０ミリ秒（ｍｓ）の持続時間を持ち、１２ビットのシステム・フレーム番号（ＳＦＮ）によって識別される。おのおののラジオ・フレームはさらに、１５のスロットに分割される。これらは、スロット０乃至１４としてラベルされる。おのおののスロットは、０．６６７ｍｓの持続時間を持ち、３．８４Ｍｃｐｓにおいて２５６０チップを含む。また、おのおののラジオ・フレームは、５つのサブフレーム０乃至４へ分割される。おのおののサブフレームは、２ｍｓの持続時間を持ち、３つのスロットに及ぶ。ＨＳ−ＳＣＣＨのサブフレームは、ＣＰＩＣＨのラジオ・フレームと時間合わせされる。ＨＳ−ＰＤＳＣＨのサブフレームは、ＨＳ−ＳＣＣＨのサブフレームに関して２スロット、右へシフト（すなわち、遅延）される。
【００２０】
ＨＳＤＰＡは、１つのサブフレームである２ｍｓのＴＴＩを使用する。ＴＴＩは、ＨＳＤＰＡの以下のような運用局面を管理する。  
・端末が、おのおののＴＴＩにおける送信のためにスケジュールされる。  
・端末へのパケットの送信または再送信が、１つのＴＴＩでなされる。  
・各パケットの送信／再送信の後、アクノレッジメント（ＡＣＫ）あるいは否定的アクノレッジメント（ＮＡＫ）が送信される。  
・（１００％未満のデューティ・サイクルの場合）通常の方式でＴＴＩをスキップすることによって、レポート・レートの低減を可能にしながら、ＴＴＩにおいて、ＴＴＩベースでチャネル品質インジケータ（ＣＱＩ）がレポートされる。
【００２１】
図３は、ＨＳＤＰＡにおけるＨＳ−ＰＤＳＣＨのための符号分割多重化（ＣＤＭ）フォーマット／構造を示す。ＣＤＭフォーマットは、３ＧＰＰ改訂５以降で使用される。拡散係数１６（ＳＦ＝１６）を持つ最大１５のチャネライゼーション・コードが、ＨＳＤＰＡについて使用されうる。チャネライゼーション・コードは、構造化された方式で生成される直交可変拡散係数（ＯＶＳＦ）符号である。拡散係数は、チャネライゼーション・コードの長さである。データ・シンボルのためのＳＦ個のチップを生成するために、チャネライゼーション・コードを用いてデータ・シンボルが拡散される。ＨＳＤＰＡのためのチャネライゼーション・コードは、例えば、端末のデータ・レート要求、利用可能なチャネライゼーション・コードの数、ＨＳＤＰＡのために利用可能な送信電力等のようなさまざまな要因に基づいて、各ＴＴＩにおいて端末へ割り当てられる。図３に示す例では、ＨＳＤＰＡのために１５のチャネライゼーション・コードが使用され、ユーザ１にチャネライゼーション・コード１、２、３が割り当てられ、ユーザ２にチャネライゼーション・コード４、５が割り当てられ、ユーザ３にチャネライゼーション・コード６、７が割り当てられる。このようにして、ユーザＫにチャネライゼーション・コード１５が割り当てられる。
【００２２】
ＨＳＤＰＡは、最大１５のＨＳ−ＰＤＳＣＨを有するものと考えられる。ここで、おのおののＨＳ−ＰＤＳＣＨは、別々のチャネライゼーション・コードに対応する。ＨＳＤＰＡはまた、最大１５のチャネライゼーション・コードを持つ１つのＨＳ−ＰＤＳＣＨを持つものとも考えられる。以下の説明は、最大１５のＨＳ−ＰＤＳＣＨがＨＳＤＰＡのために利用可能であるという上記ケースを仮定する。
【００２３】
図３はまた、固定チャネライゼーション・コードＣｃｈ，２５６，０を用いて拡散される連続的なＣＤＭパイロットを伝送するプライマリ共通パイロット・チャネル（Ｐ−ＣＰＩＣＨ）を示す。パイロットは、基地局および端末によって演繹的に知られているデータ（例えば、予め定めたビット・シーケンス）である。パイロットはまた、リファレンス、トレーニング信号、プリアンブル、ビーコン等とも称されうる。Ｐ−ＣＰＩＣＨのチャネライゼーション・コードは、拡散係数２５６（ＳＦ−２５６）を持ち、すべてゼロからなるシーケンスである。Ｐ−ＣＰＩＣＨは、おのおののスロットで送信される。（例えば、ＨＳ−ＳＣＣＨのような）別の物理チャネルでは、別のチャネライゼーション・コードを用いて、その他の送信も送られる。ＳＨ＝１６（Ｃｃｈ，１６，０）の１つのチャネライゼーション・コードは、Ｃｃｈ，２５６，０におけるＰ−ＣＰＩＣＨの送信およびその他の物理チャネルと衝突するであろうから、ＨＳ−ＰＤＳＣＨ送信のためには使用されない。
【００２４】
図３に示されるように、複数の端末は、ＨＳＤＰＡのための所与のＴＴＩにおいて、別々のチャネライゼーション・コードが割り当てられる。異なるセットの端末には、異なるＴＴＩにおいて、チャネライゼーション・コードが割り当てられうる。所与の端末には、おのおののＴＴＩにおいて、任意の数のチャネライゼーション・コードが割り当てられ、端末への割り当ては、ＴＴＩ毎に変わりうる。
【００２５】
図３に示すように、ＨＳＤＰＡは、所与のＴＴＩにおいて別々の端末へパケットを同時送信するために、ＣＤＭを利用する。チャネライゼーション・コードおよび送信電力は、複数の端末に同時にサービス提供するための割り当て可能なリソースとして基地局によって使用される。ＨＳＤＰＡは、マルチ・ユーザ・スケジューリングをサポートする。これは、所与のＴＴＩにおいて複数の端末をスケジュールすることができる能力を称する。マルチ・ユーザ・スケジューリングは、ＴＴＩにおいて単一のユーザしかスケジュールできないシングル・ユーザ・スケジューリングに対して一定の利点を与える。例えば、同じＴＴＩにおいて、小さなペイロードで多くの端末をスケジュールすることができる能力は、例えばボイス・オーバ・インターネット・プロトコル（ＶｏＩＰ）のように、低ビット・レートで遅延に敏感なアプリケーションを効率的に取り扱うために有利である。
【００２６】
パフォーマンスをさらに向上するために、ＭＩＭＯ送信を使用することができる。ＭＩＭＯは、ディメンションの向上を達成するために、複数の送信アンテナと複数の受信アンテナとを用いる。これによって、端末について、より高いスペクトル効率と、より高い最大データ・レートとを提供する。
【００２７】
ダウンリンクにおけるＭＩＭＯ送信の場合、基地局は、割り当てられたすべてのチャネライゼーション・コードを再使用しながら、複数（Ｔ個）の送信アンテナから、端末における複数（Ｒ個）の受信アンテナへと、複数（Ｍ個）のデータ・ストリームを同時に送信することができる。ここで、Ｍ≦ｍｉｎ{Ｔ，Ｒ}である。データ・ストリームは、端末において互いに干渉する。端末は、データ・ストリームを分離するためにＭＩＭＯ検出を実行することができる。パフォーマンスの向上を図るために、端末は、連続干渉除去（ＳＩＣ）を実行することができる。ＳＩＣを用いて、端末はまず、１つのデータ・ストリームを復元し、次に、このデータ・ストリームによってもたらされた干渉を推定して、取り除き、そして、同様に次のデータ・ストリームを復元する。復元されるデータ・ストリームのおのおのから干渉を取り除くことによって、残りのデータ・ストリームのおのおのの信号対干渉および雑音比（ＳＩＮＲ）が高められる。ＳＩＣと組み合わされた最小平均平方誤り（ＭＭＳＥ）検出（ＭＭＳＥ−ＳＩＣ）により、理論的には、最適なパフォーマンスを達成できることが示されうる。
【００２８】
マルチ・ユーザ・スケジューリングとＳＩＣとの両方をサポートすることが望ましい。しかしながら、ＨＳＤＰＡのためにＣＤＭを使用することによって、ＳＩＣについて達成可能な長所を制限しうる。ＳＩＣの完全な長所は、利用可能なすべてのチャネライゼーション・コードが１つの端末に割り当てられた場合、復元されたデータ・ストリームにおけるすべてのチャネライゼーション・コードの寄与を、残りのデータ・ストリームから除去することによって得られる。複数の端末が、ＣＤＭによって多重化された個別のデータ・ストリームを用いて、所与のＴＴＩにおいてスケジューリングされるのであれば、おのおのの端末は、すべてのチャネライゼーション・コードからの干渉を推定し、除去するために、その端末に対する送信のみならず、別の端末に対する別の送信をも復調および復号する必要があるであろう。端末に対して、他の端末の送信を復元することを要求することは、非現実的であるし、いわんや不可能である。したがって、除去される干渉の量は、図３に示すＣＤＭフォーマットを用いることによって制限されうる。
【００２９】
図４Ａは、ＨＳＤＰＡにおけるＨＳ−ＰＤＳＣＨのための時分割多重化（ＴＤＭ）フォーマット／構造４００の典型的な実施形態を示す。この典型的な実施形態では、ＴＴＩは、複数（Ｓ個）の時間セグメント１乃至Ｓに分割される。一般に、Ｓは、任意の値である。典型的な実施形態では、Ｓは１６に等しい。また、おのおのの時間セグメントは、ＳＦ＝１６の場合、３．８４Ｍｃｐｓまたは３０シンボルにおいて、チャネライゼーション・コード毎に４８０チップを含む。１５の時間セグメントがデータのために利用可能であるＳ＝１６からなるこの典型的な実施形態は、既存のレート・マッチング・テーブルを維持するので、符号化および復号を単純化することができる。別の典型的な実施形態では、Ｓは１５に等しく、おのおのの時間セグメントは、ＳＦ＝１６の場合、５１２チップまたは３２シンボルを含む。Ｓに関し、その他の値も使用されうる。図３に示すＣＤＭフォーマットへの下位互換性を保つために、Ｐ−ＣＰＩＣＨはおのおののスロットで送信されうる。
【００３０】
フル割当と称される典型的な実施形態では、時間セグメントのおのおのが、１つの端末にのみ割り当てられる。ＴＴＩにおけるＳ個の時間セグメントは、１または複数の端末へ割り当てられうる。ＨＳＤＰＡのためのチャネライゼーション・コードのすべては、Ｓ個の時間セグメントのおのおので使用されうる。所与の時間セグメントが割り当てられた端末には、その時間セグメントにおけるＨＳＤＰＡの全てのチャネライゼーション・コードが割り当てられる。図４Ａに示す例では、ユーザ１は時間セグメント１、２、３が割り当てられ、ユーザ２は時間セグメント４、５が割り当てられ、ユーザ３は時間セグメント６、７が割り当てられる。同様にして、ユーザＫは時間セグメントＳが割り当てられる。一般に、おのおのの端末には、所与のＴＴＩにおいて、最大でも、データ送信のために利用可能な時間セグメントの数までの、任意の数の時間セグメントが割り当てられうる。
【００３１】
図４Ｂは、ＭＩＭＯを用いたＨＳＤＰＡにおけるＨＳ−ＰＤＳＣＨのためのＴＤＭフォーマット４１０の典型的な実施形態を示す。複数（Ｍ個）のデータ・ストリームが、ＴＴＩにおいて、１または複数の端末へ同時に送信されうる。例えば、時間セグメント、チャネライゼーション・コード、および送信電力のようなリソースが、データ・ストリームのおのおのに割り当てられる。フル割当による実施形態では、端末には、すべてのデータ・ストリームにわたって同じ時間セグメントが割り当てられる。この典型的な実施形態によって、おのおのの端末が、ＨＳＤＰＡのためのすべてのチャネライゼーション・コードについて、既知のパイロット・チャネル、および、端末によって復号されうるその他の物理チャネルを加えたものすべてに対してＳＩＣを実行可能としながら、端末は、ＴＴＩにおいて最大Ｓ個の端末をスケジュールできるようになる。図４Ｂに示す例では、ユーザ１は、Ｍ個すべてのデータ・ストリームにわたって時間セグメント１、２、３が割り当てられ、ユーザ２は、Ｍ個すべてのデータ・ストリームにわたって時間セグメント４、５が割り当てられ、ユーザ３は、Ｍ個すべてのデータ・ストリームにわたって時間セグメント６、７が割り当てられる。同様にして、ユーザＫは、Ｍ個すべてのデータ・ストリームにわたって時間セグメントＳが割り当てられる。
【００３２】
部分割当と称される別の典型的な実施形態では、所与の時間セグメントが、複数の端末へ割り当てられる。この部分割当は、さまざまな方式で実行されうる。１つの実施形態では、おのおのの端末は、Ｍ個のデータ・ストリームにわたって、ＨＳＤＰＡのためのチャネライゼーション・コードのサブセットが割り当てられうる。別の実施形態では、おのおのの端末は、Ｍ個のデータ・ストリームのサブセット（例えば１つ）について、ＨＳＤＰＡのためのすべてのチャネライゼーション・コードが割り当てられうる。また別の実施形態では、おのおのの端末は、データ・ストリームのサブセットについて、ＨＳＤＰＡのチャネライゼーション・コードのサブセットが割り当てられうる。一般に、端末は、任意の時間セグメント内で、Ｍ個のデータ・ストリームのおのおのにおいて、任意の数のチャネライゼーション・コードが割り当てられうる。部分割当によって、基地局は、ＴＴＩにおいて、より精細なグラニュラリティで端末をスケジュールできるようになる。例えば多くの端末によってＶｏＩＰが使用される場合のように、小さなペイロードを有する多くの端末をスケジュールすることが、高いデータ・レートを有する少ない端末をスケジュールすることよりも好適である場合に使用されうる。
【００３３】
また別の典型的な実施形態では、フル割当と部分割当との組み合わせが、所与のＴＴＩのために使用されうる。例えば、（例えば、ＳＩＣ機能および／またはより大きなデータ・ペイロードを有する端末の場合、）ある時間セグメントに対してフル割当が使用され、（例えば、ＳＩＣ機能を持たず、および／または、より小さなデータ・ペイロードを有する端末の場合、）別の時間セグメントに対して部分割当が使用されうる。
【００３４】
典型的な実施形態では、１または複数の時間セグメントが、ＴＤＭパイロットを送信するために使用される。ＴＤＭパイロットは、ＴＴＩの一部で送信されたパイロットであり、１または複数のチャネライゼーション・コードのセットを備えている。データは、ＴＴＩの残りの部分において、同じチャネライゼーション・コード・セットを用いて送信されうる。データおよびＴＤＭパイロットは、ＴＴＩを時間ワイズで共有し、同じチャネライゼーション・コード・セットを用いる。ＴＤＭパイロットのために使用される時間セグメントは、パイロット・セグメントと称される。ＴＤＭパイロットは、Ｐ−ＣＰＩＣＨにおけるＣＤＭパイロットとともにＨＳ−ＰＤＳＣＨで送信されうる。以下に説明するように、ＴＤＭパイロットは、さまざまな方式で送信されうる。典型的な実施形態では、ＴＤＭパイロットは、ＨＳＤＰＡのために使用されるすべてのチャネライゼーション・コードを用いて送信される。ＴＤＭパイロットは、ＨＳ−ＰＤＳＣＨで搬送されたＨＳＤＰＡデータと同じチャネライゼーション・コード毎送信電力で送信され、ＴＤＭパイロットの合計送信電力は、ＨＳＤＰＡデータの合計送信電力と等しくなるであろう。ＴＤＭパイロットのために使用される時間セグメントの数は、ＴＤＭパイロットを用いて達成可能な利点（例えば、スループットの向上）と、ＴＤＭパイロットを送信するためのオーバヘッドとの間のトレードオフに基づいて選択されうる。
【００３５】
一般に、Ｓ個の時間セグメントのうちの何れもが、パイロット・セグメントとして使用されうる。ＴＤＭパイロットは、ＴＴＩの最初の時間セグメントで送信される。これによって、すべての端末が、ＴＤＭパイロットを用いて、ＴＴＩの次の時間セグメントで送信されたＨＳＤＰＡを復元できるようになる。ＴＤＭパイロットは、ＴＴＩの最後の２つの時間セグメントに対してほぼ等しい距離対時間になるように、ＴＴＩの中央の時間セグメントでも送信されうる。ＴＤＭパイロットはまた、その他の時間セグメントでも送信されうる。
【００３６】
図４Ａおよび図４Ｂで示される典型的な実施形態では、ＴＤＭパイロットは、１つの時間セグメントで送信される。Ｓ＝１６である場合、ＴＤＭパイロットのオーバヘッドは、１／１６＝６．２５％である。典型的な実施形態では、ＴＤＭパイロットは固定され、おのおののＴＴＩについて指定された１または複数の時間セグメントで送信される。別の典型的な実施形態では、ＴＤＭパイロットが設定可能であり、（１）所与のＴＴＩで送信されることもされないこともあり、（２）ＴＴＩの選択可能な数の時間セグメントで送信され、および／または、（３）異なる数のチャネライゼーション・コードで送信される。ＴＤＭパイロットの設定は、ＴＴＩに応じて、ラジオ・フレームに応じて、あるいはより緩慢に変化しうる。
【００３７】
端末は、例えば、チャネル推定、チャネル品質測定等のようなさまざまな目的のためにＴＤＭパイロットを使用することができる。端末は、ＴＤＭパイロットに基づいて、すべての受信アンテナにおいて（あるいは、すべての送信アンテナと、すべての受信アンテナとの間で）、すべてのデータ・ストリームのためのチャネル利得推定値を導出することができる。端末は、等化器タップ、空間フィルタ・マトリクス等を導出するために、チャネル利得推定値を使用することができる。端末は、その後、等化器タップおよび／または空間フィルタ・マトリクスを用いて受信信号を処理し、送信されたデータ・ストリームを復元する。
【００３８】
端末はまた、ＴＤＭパイロットに基づいて受信ＳＩＮＲを測定し、ＳＩＮＲ推定値に基づいてＣＱＩ（チャネル品質インジケータ）を計算し、ＣＱＩを基地局へ送信する。端末はまた、Ｐ−ＣＰＩＣＨで送信されたＣＤＭパイロットに基づいて、受信ＳＩＮＲを測定する。しかしながら、ＴＤＭパイロットにわたって達成されたＳＩＮＲ（またはパイロットＳＩＮＲ）に基づいて計算されたＣＱＩは、ＨＳＤＰＡデータにわたって達成されたＳＩＮＲ（またはデータＳＩＮＲ）を良く反映する。なぜなら、ＴＤＭパイロットは、ＨＳＤＰＡデータのために使用されるものと同じチャネライゼーション・コードを用いて、ＨＳＤＰＡデータと同じ電力レベルで送信されるからである。基地局は、おのおののＴＴＩにおいてＨＳＤＰＡのために使用される送信電力量を認識し、端末がパイロットＳＩＮＲを計算する時間から、レポートされたＣＱＩを用いて基地局がＨＳＤＰＡデータを送信する時間への送信電力および／またはコード割当におけるあらゆる変化を考慮して、レポートされたＣＱＩをほぼ調節しうる。ＴＤＭパイロットによって取得されうるより正確なレポートされたＣＱＩによって、より正確なレート選択が可能となる。これは、遅延に敏感なトラフィックのみならず、その他のトラフィックのパフォーマンスをも向上することができる。より正確なレポートされたＣＱＩはまた、例えば６４−ＱＡＭおよび２５６−ＱＡＭのようなより高次の変調スキームの使用をサポートすることができる。
【００３９】
端末はまた、ＴＤＭパイロットに基づいて、トラフィック電力対パイロット電力の比であるトラフィック対パイロット比を決定することができる。端末は、トラフィック対パイロット比の例えば平方根に基づいて、スカラを導出することができる。端末は、このスカラを用いてシンボル推定値を多重化し、後の復号のために、シンボル推定値のための適切なスケーリングを達成する。
【００４０】
端末は、ＭＩＭＯ検出および／または復調のために、ＳＩＮＲ推定値を使用することができる。例えば、端末は、ＳＩＮＲ推定値を用いて、コード・ビットのためのログ尤度比（ＬＬＲ）を計算し、その後、ＬＬＲを復号して、復号されたデータを得ることができる。ＴＤＭパイロットにより取得されうるより正確なＳＩＮＲ推定値によって、特に、１６−ＱＡＭおよび６４−ＱＡＭのような一定ではない電力コンステレーションを備えた変調スキームの場合、より正確なＬＬＲ計算、向上した復調および復号性能を得ることができる。
【００４１】
ＨＳＤＰＡのＴＤＭパイロットは、他のデータ、および／または、例えばＨＳ−ＳＣＣＨのような制御チャネルと同時に送信されうる。ＴＤＭパイロットは、ＣＤＭパイロットに対して改良されたトレーニング品質を提供するように示されている純粋なＴＤＭパイロット・バーストと類似する。ＴＤＭパイロットによって得られる可能なパフォーマンス向上は、オーバヘッド・ペナルティがあるにも関わらず、ＴＤＭパイロットの送信を正しくすることができる。
【００４２】
図４Ｃは、図４ＡにおけるＴＤＭフォーマット４００を用いたＨＳＤＰＡの典型的な送信を示す。基地局は、ＴＴＩにおいて、ＨＳ−ＰＤＳＣＨによるデータ送信のために、端末をスケジュールする。基地局は、ＨＳ−ＳＣＣＨで、スケジュールされたおのおのの端末のためにシグナリング／制御情報を送信する。スケジュールされたおのおのの端末のシグナリングは、ＴＴＩにおいてその端末に割り当てられた特別な時間セグメントを示す。基地局は、ＨＳ−ＰＤＳＣＨで、割り当てられた時間セグメントでスケジュールされた端末へ向けてＨＳＤＰＡデータを送信する。ＨＳ−ＰＤＳＣＨによるデータ送信は、ＨＳ−ＳＣＣＨにおける対応するシグナリング送信からτＨＳ−ＰＤＳＣＨ＝２スロット遅延される。
【００４３】
ＴＴＩにおいて、ＨＳ−ＰＤＳＣＨでデータを受信するおのおのの端末は、シグナリングがその端末のために送信されたかを判定するために、ＨＳ−ＳＣＣＨを処理する。スケジューリングされたおのおのの端末は、（もしも送信されていれば）ＴＤＭパイロットを処理する。さらに、その端末のために送信されたＨＳＤＰＡデータを復元するために、割り当てられた時間セグメントを処理する。スケジュールされたおのおのの端末は、現在のＴＴＩで送信されたパケットが正しく復号された場合にはＡＣＫを送信し、そうでない場合にはＮＡＫを送信する。おのおのの端末はまた、（もしも送信されていれば）ＴＤＭパイロットおよび／またはＣＤＭパイロットに基づいてパイロットＳＩＮＲを推定し、このＳＩＮＲ推定値に基づいてＣＱＩを計算し、ＣＱＩをＡＣＫ／ＮＡＫとともにＨＳ−ＤＰＣＣＨで送信する。ＨＳ−ＤＰＣＣＨによるこのフィードバック送信は、端末において受信されると、ＨＳ−ＰＤＳＣＨによる対応するデータ送信の終了から、約７．５スロット遅延する。端末１乃至Ｋはそれぞれ、基地局に対して、τＰＤ，１乃至τＰＤ，Ｋの伝播遅延を有する。したがって、端末１乃至ＫのＨＳ−ＤＰＣＣＨはそれぞれ、基地局におけるＨＳ−ＰＤＳＣＨと比較して、おおよそ７．５スロット＋τＰＤ，１乃至７．５スロット＋τＰＤ，Ｋ遅延する。現在のＴＴＩでスケジュールされていない端末もまた、前のパケット送信についてのＡＣＫ／ＮＡＫと、ＨＳ−ＤＰＣＣＨによる現在のＴＴＩについてのＣＱＩとを送信する。
【００４４】
基地局は、図４Ａで示されるＴＤＭフォーマット、および図３で示されるＣＤＭフォーマットの両方をサポートすることができる。基地局は、おのおののＴＴＩにおいてＴＤＭフォーマットまたはＣＤＭフォーマットの何れかを選択し、スケジュールされた端末に向けてＨＳ−ＳＣＣＨでシグナリングを送信することができる。スケジュールされたおのおのの端末は、端末の能力、以前（例えば、コール・セットアップ中）に交換された設定情報、ＨＳ−ＳＣＣＨで送信されたシグナリング等に基づいて、ＴＤＭフォーマットが使用されているか、あるいは、ＣＤＭフォーマットが使用されているかを認識することができる。例えば、ＴＤＭフォーマットをサポートしていないレガシー端末は、ＨＳＤＰＡデータが、ＣＤＭフォーマットを用いて送信されると仮定する。ＴＤＭフォーマットとＣＤＭフォーマットとの両方をサポートする新たな端末には、現在のＴＴＩ、現在のラジオ・フレーム、あるいはコール全体のためにどのフォーマットが使用されるかが（例えば、高次レイヤ・シグナリングによって）通知されうる。
【００４５】
ＴＤＭフォーマットとＣＤＭフォーマットとの両方について、ＨＳ−ＳＣＣＨで同じシグナリング・フォーマットを用いることが望ましい。ＨＳ−ＳＣＣＨにおけるシグナリングは、多くのパラメータを含み、そのうちの１つは、７ビットのチャネライゼーション・コード・セット（ＣＣＳ：channelization-code-set）パラメータである。ＣＤＭフォーマットの場合、ＣＣＳパラメータは、現在のＴＴＩにおいて端末へ割り当てられた連続したチャネライゼーション・コードの数と、最初のチャネライゼーション・コードとを示す。
【００４６】
典型的な実施形態では、ＴＤＭフォーマットのための時間セグメントの割当を伝送するためにもＣＣＳパラメータが使用される。ＣＣＳビットの解釈は、ＨＳ−ＰＤＳＣＨのためにＴＤＭフォーマットが使用されているか、あるいは、ＣＤＭフォーマットが使用されているかに基づいて異なるであろう。
【００４７】
図４Ｄは、ＴＴＩにおける時間セグメントを端末に割り当てる典型的な実施形態を示す。端末は、ＴＴＩにおいて１または複数の連続した時間セグメントが割り当てられる。典型的な実施形態では、シグナリングを低減するために、割り当てられた時間セグメントの番号に基づく連続順で、時間セグメントが端末に割り当てられうる。例えば、最大の番号の時間セグメントを持つ端末は、ＴＴＩにおいて最初に割り当てられ、２番目に大きい番号の時間セグメントを持つ端末は、次に割り当てられる等により、最小の番号の時間セグメントを持つ端末は、ＴＴＩにおいて最後に割り当てられる。図４Ｄに示す例では、ユーザ１は、最初のＬ１個の時間セグメントが割り当てられ、ユーザ２は、次のＬ２個の時間セグメントが割り当てられる。ここで、Ｌ２≦Ｌ１である。ユーザ３は、次のＬ３個の時間セグメントが割り当てられる。ここで、Ｌ３≦Ｌ２である。このようにして、ユーザＫは、最後のＬＫ個の時間セグメントが割り当てられる。ここで、ＬＫ≦ＬＫ−１である。
【００４８】
図４Ｄで示される典型的な実施形態では、端末に割り当てられうる時間セグメントの最大数は、その端末の開始時間セグメントに依存する。  
・開始時間セグメントが、ＴＴＩの最初の時間セグメントである場合、端末は、１乃至Ｓ個の時間セグメントが割り当てられうる。  
・開始時間セグメントが、２番目の時間セグメントである場合、端末は、１つの時間セグメントが割り当てられる。なぜなら、最初の時間セグメントにおいて開始ポイントを持つ端末には、１つの時間セグメントのみしか割り当てられないからである。  
・開始時間セグメントが、３番目の時間セグメントである場合、端末は、１つまたは２つ何れかの時間セグメントが割り当てられる。  
・開始時間セグメントが、Ｎ番目の時間セグメント、ただし１＜Ｎ≦Ｓである場合、端末は、１から｛Ｎ−１，Ｓ−Ｎ｝のうちの最小数までの時間セグメントが割り当てられる。Ｎ−１という制限は、時間セグメントを割り当てる連続した順番による。Ｓ−Ｎという制限は、ＴＴＩの有限長さによる。ＴＴＩの後半で開始する端末の場合、Ｓ−Ｎという制限は、Ｎという制限よりもより限定的である。
【００４９】
ＴＴＩにおける合計１５の時間セグメントは、（ａ）Ｓ＝１６でありＴＤＭパイロットが１つの時間セグメントで送信された場合、または、（ｂ）Ｓ＝１５でありＴＤＭパイロットが送信されない場合、ＨＳＤＰＡのために端末に割当可能である。図４Ｄに示す割当実施形態の場合、ＴＴＩにおいて１５の時間セグメントが割当可能であれば、時間セグメントにおいて７１の可能な割当が存在する。端末のための時間セグメント割当は、７ビットのＣＣＳパラメータで搬送される。この場合、ＣＣＳパラメータの１２８の可能な値のうちの７１が、時間セグメント割当を搬送するために使用されうる。１２８−７１＝５７の残りの値は、その他のシグナリングのために使用されうる。
【００５０】
別の典型的な実施形態では、端末は、図４Ｄに示すものとは逆の順序で、１または複数の連続した時間セグメントが割り当てられる。例えば、最小の番号の時間セグメントを持つ端末が、ＴＴＩにおいて最初に割り当てられる。２番目に小さい番号の時間セグメントを持つ端末が、次に割り当てられる。このようにして、最大の番号の時間セグメントを持つ端末が、ＴＴＩにおいて最後に割り当てられる。また別の典型的な実施形態では、端末は、ＴＴＩ内のどこかに、１または複数の連続した時間セグメントを割り当てられうる。この典型的な実施形態は、コード・ツリーにおいて１または複数の連続したチャネライゼーション・コードが、図３に示すＣＤＭフォーマットに関して端末へ割り当てられる方式に類似している。その後、端末のシグナリングが、端末に割り当てられた連続した時間セグメントの番号と、開始時間セグメントとを示す。合計１５の時間セグメントがＴＴＩにおいて割当可能であれば、時間セグメントの１２０の可能な割当が存在する。端末のための時間セグメント割当は、７ビットのＣＣＳパラメータを用いて搬送されうる。この場合、１２８−１２０＝８個の残りの値は、その他のシグナリングのために使用されうる。
【００５１】
上述したように、フル割当と部分割当との組み合わせが、所与のＴＴＩのために使用されうる。シグナリングを低減するために、共通して使用されるいくつかの部分割当が、７ビットのＣＣＳパラメータのうちの（例えば、５７の）残りの値について定義されうる。より多くのシグナリング・ビットを用いることによって、さらなる部分割当もまた定義されうる。極端な場合、例えば、ＣＤＭフォーマットの場合、チャネライゼーション・コードがおのおののＴＴＩにおいて端末に割り当てられるのと同様に、おのおのの時間セグメントにおけるチャネライゼーション・コードが端末に割り当てられる。
【００５２】
１または複数のＨＳ−ＳＣＣＨは、拡散係数１２８を持つチャネライゼーション・コードを用いて、基地局から同時に送信される。おのおのの端末のシグナリングは、その端末のＵＥアイデンティティを用いてスクランブルされ、ＨＳ−ＳＣＣＨのセットに割り当てられたＳＦ＝１２８のチャネライゼーション・コードのうちの１つを用いて、ＨＳ−ＳＣＣＨのうちの１つで送信される。典型的な実施形態では、ＨＳ−ＳＣＣＨのセットのために使用されるチャネライゼーション・コード空間を低減するために、良好なチャネルを観察している端末に向けられたシグナリングが、拡散係数１２８の代わりに拡散係数２５６を持つチャネライゼーション・コードを用いて送信されうる。これらの端末は、ＭＩＭＯを適用する端末である。これは、一般に、良好なパフォーマンスを達成するために、より高いＳＩＮＲに依存する。より高いコード・レートおよび／またはより高次の変調スキームが、より大きな拡散係数と組み合わされて使用されうる。
【００５３】
図５Ａは、ＴＤＭパイロットを用いたＣＤＭフォーマット５１０の実施形態を示す。これは、ＨＳＤＰＡにおけるＨＳ−ＰＤＳＣＨのために使用されうる。この実施形態では、拡散係数１６（ＳＦ＝１６）を持つ最大１５のチャネライゼーション・コードが、所与のＴＴＩにおいてＨＳＤＰＡのために使用される。そして、おのおののチャネライゼーション・コードは、ＴＴＩ全体にわたり、端末へ割り当てられる。図５Ａに示す例では、１５すべてのチャネライゼーション・コードがＨＳＤＰＡのために使用され、ユーザ１にはチャネライゼーション・コード１、２、３が割り当てられ、ユーザ２にはチャネライゼーション・コード４、５が割り当てられ、ユーザ３にはチャネライゼーション・コード６、７が割り当てられる。このようにして、ユーザＫにはチャネライゼーション・コード１５が割り当てられる。
【００５４】
図５Ａに示す実施形態では、ＴＤＭパイロットは、ＴＴＩの一部を占有する時間セグメントで送信され、すべてのチャネライゼーション・コードが、ＨＳＤＰＡのために使用される。１つの実施形態では、時間セグメントは、ＴＴＩの１／１６である。これは、ＨＳＤＰＡの場合、４８０チップである。一般に、ＴＤＭパイロットは、任意の持続時間からなる時間セグメントで送信され、ＴＴＩの任意の部分に位置する。端末は、ＴＤＭパイロットの存在のみならず、その位置も認識することができる。おのおのの端末は、その後、例えばチャネル推定、チャネル品質測定等のようなさまざまな目的のためにＴＤＭパイロットを使用することができる。
【００５５】
図５Ｂは、ＴＤＭパイロットを用いたＣＤＭフォーマット５２０の実施形態を示す。これは、ＨＳＤＰＡにおけるＨＳ−ＰＤＳＣＨのためにも使用される。この実施形態では、拡散係数１６（ＳＦ＝１６）を持つ最大１５のチャネライゼーション・コードが、所与のＴＴＩにおいて、ＨＳＤＰＡのために使用される。そして、おのおののチャネライゼーション・コードが、ＴＴＩ全体にわたって端末に割り当てられる。ＨＳＤＰＡのために使用されない何れのＳＦ＝１６のチャネライゼーション・コードも、ＨＳＤＰＡ以外の送信には使用されない。例として、ＨＳＤＰＡに使用されない１つのＳＦ＝１６のチャネライゼーション・コードの場合、非ＨＳＤＰＡデータが、（ｉ）２つのＳＦ＝３２のチャネライゼーション・コード、（ｉｉ）４つのＳＦ＝６４のチャネライゼーション・コード、（ｉｉｉ）１つのＳＦ＝３２のチャネライゼーション・コードと、２つのＳＦ＝６４のチャネライゼーション・コード、（ｉｖ）８つのＳＦ＝１２８のチャネライゼーション・コード等を用いて１または複数のユーザへ送信される。図５Ｂに示す例では、Ｌ個のＳＦ＝１６のチャネライゼーション・コード１乃至Ｌが、ＨＳＤＰＡのために使用されることもされないこともあり、Ｍ個のチャネライゼーション・コードＬ＋１乃至Ｌ＋ＭがＨＳＤＰＡのために使用され、残りのチャネライゼーション・コードＬ＋Ｍ＋１乃至１５が、ＨＳＤＰＡのために使用されることも使用されないこともある。ユーザ１はチャネライゼーション・コードＬ＋１、Ｌ＋２が割り当てられる。このようにして、ユーザＫは、チャネライゼーション・コードＬ＋Ｍが割り当てられる。一般に、ＳＦ＝１６のチャネライゼーション・コードの任意の適切なセットが、ＨＳＤＰＡのために使用されうる。
【００５６】
図５Ｂに示す実施形態では、ＴＤＭパイロットが、ＨＳＤＰＡのために使用される１５のチャネライゼーション・コードのサブセットを用いて時間セグメント内で送信される。時間セグメントは、ＴＴＩあるいはその他いくつかの持続時間からなりうる。チャネライゼーション・コードの数、および、ＴＤＭパイロットのためにどのチャネライゼーション・コードが使用されるかは、以下に示すように、さまざまな方式で決定される。ＴＤＭパイロットの存在および場所を認識している端末は、例えばチャネル推定、チャネル品質測定等のようなさまざまな目的のためにＴＤＭパイロットを使用することができる。
【００５７】
システムは、ＨＳＤＰＡのために、「レガシー」ユーザのみならず「新たな」ユーザをサポートすることができる。新たなユーザは、ＨＳＤＰＡをサポートし、ＴＤＭパイロットを処理することも可能である。レガシー・ユーザは、（例えば、３ＧＰＰリリース５または６で定義されたようにして）ＨＳＤＰＡをサポートすることができるが、（例えば、レガシー・ユーザは、ＴＤＭパイロットの存在を認識しないので）ＴＤＭパイロットを処理することはできない。レガシー・ユーザは、チャネル推定、チャネル品質測定等のために、Ｐ−ＣＰＩＣＨで送信されたＣＤＭパイロットを用いることができる。
【００５８】
システムは、レガシー・ユーザと新たなユーザとの両方をサポートするために、さまざまな方式でＴＤＭパイロットを送信することができる。所与のＴＴＩにおいて、ＨＳＤＰＡデータは、レガシー・ユーザのみに、新たなユーザのみに、あるいは、レガシー・ユーザと新たなユーザとの両方に送信されるか、あるいは、どのユーザにも送信されない。ＴＤＭパイロットは、以下のようにして送信されうる。
【００５９】
ＨＳＤＰＡデータが、ＴＴＩで、どの新たなユーザへも送信されない（すなわち、ＨＳＤＰＡデータが、ＴＴＩで、レガシー・ユーザのみに送信されるか、あるいは、どのユーザへも送信されない）場合、ＴＤＭパイロットが省略されうる。なぜなら、このユーザが、ＴＴＩで、データを受信することは何の利点もないからである。ＴＤＭパイロットを省略することにより、ＴＴＩにおいてデータを受信するユーザに対する品質低下を回避することもできる。
【００６０】
ＨＳＤＰＡデータが、ＴＴＩにおいて、１５すべてのＳＦ＝１６のチャネライゼーション・コードで、新たなユーザのみに送信される場合、図５Ａに示すように、ＴＤＭパイロットが、１５すべてのチャネライゼーション・コードで送信されうる。新たなユーザは、ＴＤＭパイロットの存在および場所を認識するであろうから、ＴＴＩで送信されたＨＳＤＰＡデータを復調するためにＴＤＭパイロットを用いることができる。
【００６１】
ＨＳＤＰＡデータが、ＴＴＩにおいて、１５のＳＦ＝１６のチャネライゼーション・コードのサブセットで新たなユーザへ送信される場合、ＴＤＭパイロットは、さまざまな方式で送信されうる。第１の実施形態では、ＴＤＭパイロットが、ＨＳＤＰＡのための新たなユーザへ割り当てられたチャネライゼーション・コードのみを用いて送信される。図５Ｂに示す例では、新たなユーザは、ＨＳＤＰＡに関するチャネライゼーション・コードＬ＋１乃至Ｌ＋Ｍが割り当てられる。チャネライゼーション・コード１乃至Ｌ、およびチャネライゼーション・コードＬ＋Ｍ＋１乃至１５が、（図５Ｂに示すように）ＨＳＤＰＡに関してレガシー・ユーザへ割り当てられる。あるいは、（図５Ｂに示されていない）他のユーザへ送信された非ＨＳＤＰＡデータのために使用される。その後、ＴＤＭパイロットは、チャネライゼーション・コードＬ＋１乃至Ｌ＋Ｍのみを用いて送信されうる。この実施形態によって、ＴＤＭパイロットを処理できない他のユーザに対する品質低下を回避する。
【００６２】
第２の実施形態では、ＴＤＭパイロットは、新たなユーザとレガシー・ユーザとのためにＨＳＤＰＡについて使用されるすべてのチャネライゼーション・コードを用いて送信される。図５Ｂで示される例では、新たなユーザおよびレガシー・ユーザは、ＨＳＤＰＡのために、チャネライゼーション・コードＬ＋１乃至Ｌ＋Ｍが割り当てられる。他のユーザへ送信された非ＨＳＤＰＡデータのために、チャネライゼーション・コード１乃至Ｌと、チャネライゼーション・コードＬ＋Ｍ＋１乃至１５とが使用される。その後、ＴＤＭパイロットが、チャネライゼーション・コードＬ＋１乃至Ｌ＋Ｍのみを用いて送信されうる。この実施形態では、新たなユーザは、ＴＴＩで送信されたＴＤＭパイロットを使用することができる。レガシー・ユーザは、ＴＤＭパイロットの存在を認識できないので、割り当てられたチャネライゼーション・コードを用いて送信されたＴＤＭパイロットの一部がＨＳＤＰＡデータであれば、そのＴＤＭパイロットの一部を処理することができる。このように、ＴＤＭパイロットは、レガシー・ユーザに対する雑音として作用しうる。他のユーザへ送信された非ＨＳＤＰＡデータのために使用されるチャネライゼーション・コードは、ＴＤＭパイロットによって影響を受けない。
【００６３】
第３の実施形態では、ＴＤＭパイロットは、全てのチャネライゼーション・コードあるいは予め定めた数のＳＦ＝１６のチャネライゼーション・コードを用いて送信される。この実施形態では、ＴＤＭパイロットは、レガシー・ユーザのＨＳＤＰＡデータ、および／または、その他のユーザの非ＨＳＤＰＡデータをパンクチャ（すなわち交換）する。チャネライゼーション・コードがＴＤＭパイロットによってパンクチャされたおのおののユーザは、チャネライゼーション・コードを用いて送信されたＴＤＭパイロットの一部からの雑音を観察する。ＴＤＭパイロットのために使用されるチャネライゼーション・コードの数は、新たなユーザのパフォーマンスと、残りのユーザのパフォーマンスとの間のトレードオフに基づいて選択されうる。パンクチャするチャネライゼーション・コードの数、および、どのチャネライゼーション・コードをパンクチャするかは、影響を受けたユーザのパフォーマンスに関連するさまざまな要因に基づいて決定される。
【００６４】
表２は、上述したさまざまなシナリオに関するＴＤＭパイロットの送信を要約する。  
【表２】
0005551287.tif 000003
【００６５】
図６は、図４Ａ、図４Ｂ、図５Ａ、および図５Ｂで示されるＴＤＭフォーマットおよびＣＤＭフォーマットのうちの何れかのために使用されうるＴＤＭパイロットのための典型的な送信スキーム６１０を示す。ＨＳ−ＰＤＳＣＨのためのおのおののＴＴＩでは、スケジュールされた端末のためのシグナリング／制御情報が、ＨＳ−ＰＤＳＣＨでデータが送信される前に、ＨＳ−ＳＣＣＨの２つのスロットで送信されうる。端末には、あるＴＴＩが割り当てられる。端末は、ここでデータを受信しうる。端末は、その後、端末へ送られたデータを受信するために、ＴＴＩが割り当てられる前にウェイク・アップすることができる。そして、バッテリ電力を節約するために、割り当てられたＴＴＩ間の期間、スリープする。ＴＴＩが割り当てられたおのおの端末について、端末が、ＨＳ−ＳＣＣＨの開始近くのＴＤＭパイロットを受信できるように、ＴＤＭパイロットを送信することが望ましい。
【００６６】
図６に示す実施形態では、割り当てられたＴＴＩのＨＳ−ＳＣＣＨの開始は、時間Ｔ１であり、割り当てられたＴＴＩのＨＳ−ＰＤＳＣＨの開始は、時間Ｔ３である。ＴＤＭパイロット６１２が、ＨＳ−ＰＤＳＣＨに関して、前のＴＴＩの第２のスロットの開始直後である時間Ｔ２において始まるＨＳ−ＰＤＳＣＨで送信される場合、端末は、ＨＳ−ＳＣＣＨの開始近くでＴＤＭパイロット６１２を受信する。１次ＳＣＨおよび２次ＳＣＨが、おのおののスロットの最初の２５６チップで送信され、ダウンリンクにおいて、他の送信と直交しない。時間Ｔ２におけるＴＤＭパイロットの開始は、ＴＤＭパイロットとＳＣＨとの間の衝突を回避するために、１次ＳＣＨおよび２次ＳＣＨの終了後になるように選択されうる。端末は、ＴＤＭパイロット６１２に基づいてチャネル推定値を導出し、このチャネル推定値を用いてＨＳ−ＳＣＣＨを復調し、ＨＳ−ＳＣＣＨで送信されたシグナリング／制御情報を受信することができる。割り当てられたＴＴＩにおけるデータ送信のために端末がスケジュールされている場合、この端末は、ＨＳ−ＰＤＳＣＨを復調するために、ＴＤＭパイロット６１２から導出されたチャネル推定値を用いることもできる。あるいは、端末は、（ｉ）割り当てられたＴＴＩで送信されたＴＤＭパイロット６１４のみ、あるいは、（ｉｉ）前のＴＴＩおよび割り当てられたＴＴＩで送信されたＴＤＭパイロット６１２および６１４の両方に基づいて、新たなチャネル推定値を導出することができる。端末は、その後、新たなチャネル推定値に基づいて、割り当てられたＴＴＩにおけるＨＳ−ＰＤＳＣＨを復調することができる。
【００６７】
ＴＤＭパイロットはまた、第１のスロットの終了時、第２のスロットの途中または終了時、あるいは、ＨＳ−ＰＤＳＣＨに関するＴＴＩのその他いくつかの場所においても送信されうる。ＨＳ−ＳＣＣＨの開始近くでＴＤＭパイロットを送信することによって、端末は、ＨＳ−ＳＣＣＨをより迅速に復調できるようになる。これは、バッファリング要件を減らし、および／または、その他の利点を与える。
【００６８】
図７は、基地局１１０および端末１２０の典型的な実施形態のブロック図を示す。基地局１１０は、図１における基地局のうちの１つでありうる。端末１２０は、図１における端末のうちの１つでありうる。この典型的な実施形態では、基地局１１０は、複数（Ｔ個）のアンテナ７１８ａ乃至７１８ｔが備えられている。これらは、データ送信およびデータ受信のために使用される。端末１２０は、データ受信のための複数（Ｒ個）のアンテナ７５２ａ乃至７５２ｒと、データ送信のための１つのアンテナ７５２ａとが備えられている。おのおののアンテナは、物理的なアンテナであるか、アンテナ・アレイおよび適切なビームフォーミング・デバイスを備えた、あるいは、固定された重み付けネットワークを備えたアンテナ・アレイを備えた仮想的なアンテナでありうる。
【００６９】
基地局１１０では、送信（ＴＸ）データ・プロセッサ７１２が、データ・ソース７１０からトラフィック・データを受信して処理し、データ・シンボルを生成する。ＴＸデータ・プロセッサ７１２はまた、コントローラ７３０からのシグナリングを処理し、シグナリング・シンボルを生成する。本明細書で使用されるように、データ・シンボルは、データのためのシンボルであり、シグナリング・シンボルは、シグナリング／制御情報のためのシンボルであり、パイロット・シンボルは、パイロットのためのシンボルであり、シンボルは、一般に複素数である。データ・シンボル、シグナリング・シンボル、およびパイロット・シンボルは、例えばＰＳＫまたはＱＡＭのような変調スキームからの変調シンボルでありうる。ＭＩＭＯの場合、ＴＸデータ・プロセッサ７１２は、データ・シンボル、シグナリング・シンボル、およびパイロット・シンボルを、複数のストリームにデマルチプレクスする。その後、ＴＸデータ・プロセッサ７１２は、対応するチップ・ストリームを生成するために、おのおののデータ・シンボル・ストリームについてＣＤＭＡ変調を実行する。ＴＸ空間プロセッサ７１４は、プロセッサ７１２からチップ・ストリームを受信し、これらチップ・ストリームについて空間マッピングを実行し、Ｔ個の出力ストリームを、Ｔ個の送信機（ＴＭＴＲ）７１６ａ乃至７１６ｔへ提供する。送信機７１６のおのおのは、出力ストリームを処理（例えば、アナログ変換、フィルタ、増幅、およびアップコンバート）し、ダウンリンク信号を生成する。送信機７１６ａ乃至７１６ｔからのＴ個のダウンリンク信号が、アンテナ７１８ａ乃至７１８ｔからそれぞれ送信される。
【００７０】
端末１２０では、Ｒ個のアンテナ７５２ａ乃至７５２ｒが、Ｔ個のダウンリンク信号を受信する。おのおののアンテナ７５２は、受信した信号を、それぞれの受信機（ＲＣＶＲ）７５４へ提供する。受信機７５４のおのおのは、受信した信号を処理（例えば、フィルタ、増幅、ダウンコンバート、デジタル化、および復調）し、入力サンプルを、受信（ＲＸ）空間プロセッサ７５６およびチャネル・プロセッサ７７４へ提供する。チャンネル・プロセッサ７７４は、受信したパイロット（例えば、ＴＤＭパイロット）に基づいてチャネル応答を推定し、チャネル推定値を提供する。ＭＩＭＯ検出器７５６は、チャネル推定値を用いて、入力サンプルについてＭＩＭＯ検出を実行し、検出されたサンプルを提供する。さらに、検出されたサンプルを、ＲＸデータ・プロセッサ７５８が処理（例えば、デスクランブル、逆拡散、シンボル・デマップ、デインタリーブ、および復号）し、復号されたデータを、データ・シンク７６０へ提供する。（例えば、ＭＩＭＯ送信の）検出後、あるいは、（例えば、単一ストリームの送信の）検出前に、ＣＤＭＡ復調（例えば、デスクランブルおよび逆拡散）が実行されうる。
【００７１】
端末１２０は、基地局１１０へ（例えば、受信パケットについてのＡＣＫ／ＮＡＫや、ＣＱＩ等のような）フィードバック情報を送信することができる。データ・ソース７６２からのトラフィック・データおよびフィードバック情報は、ＴＸデータ・プロセッサ７６４によって処理され、さらに、送信機７５４ａによって処理されて、アップリング信号が生成される。これは、アンテナ７５２ａを介して送信される。基地局１１０では、このアップリンク信号が、Ｔ個のアンテナ７１８ａ乃至７１８ｔによって受信され、受信機７１６ａ乃至７１６ｔによって処理され、単一入力複数出力（ＳＩＭＯ）検出器７２０によって処理され、さらに、ＲＸデータ・プロセッサ７２２によって処理される。これによって、端末１２０によって送信されたフィードバック情報およびトラフィック・データが復元される。
【００７２】
コントローラ／プロセッサ７３０、７７０は、基地局１１０および端末１２０それぞれにおける動作を制御する。メモリ７３２、７７２は、基地局１１０および端末１２０それぞれのためのデータおよびプログラム・コードを格納する。
【００７３】
図８は、図７の基地局１１０におけるＴＸデータ・プロセッサ７１２とＴＸ空間プロセッサ７１４との典型的な実施形態のブロック図を示す。この典型的な実施形態では、ＴＸデータ・プロセッサ７１２は、ＨＳ−ＰＤＳＣＨのためのデータ・プロセッサ８１０と、ＨＳ−ＳＣＣＨのためのデータ・プロセッサ８１２と、その他の物理チャネルのためのデータ・プロセッサ８１４とを含む。
【００７４】
ＨＳ−ＰＤＳＣＨのためのデータ・プロセッサ８１０内では、エンコーダ／シンボル・マッパ８２０が、現在のＴＴＩ内でスケジュールされた端末のためのトラフィック・データを受信し、データ・シンボルを生成するために、おのおのの端末のためのおのおののパケットを処理（例えば、フォーマット、符号化、インタリーブ、およびシンボル・マップ）し、すべての端末のためのデータ・シンボルを、同時送信されるＭ個のストリームへデマルチプレクスする。連続干渉除去を容易にするために、１つのパケットがおのおののストリームで送信されて、Ｍ個のパケットがＭ個のストリームで送信される。あるいは、パケットがデマルチプレクスされ、複数のストリームにわたって送信されうる。ＣＤＭＡ変調器８２２は、Ｍ個のデータ・シンボル・ストリームを受信し、おのおのの端末のデータ・シンボルを、端末に割り当てられた時間セグメントへマップし、パイロット・シンボルにおいて多重化する。おのおののストリームについて、ＣＤＭＡ変調器８２２は、ＨＳＤＰＡについてのチャネライゼーション・コードを用いてデータ・シンボルおよびパイロット・シンボルを拡散し、そのチャネライゼーション・コードの利得係数を用いて、おのおののチャネライゼーション・コードのチップをスケールし、スケールされたすべてのチャネライゼーション・コードのチップを結合し、結合されたチップをスクランブルして、スクランブルされたチップ・ストリームを生成する。データ・プロセッサ８１０は、ＨＳ−ＰＤＳＣＨのためにＭ個のチップ・ストリームを提供する。データ・プロセッサ８１２は、ＨＳ−ＳＣＣＨのためのシグナリグを処理し、ＨＳ−ＳＣＣＨのためのＭ個のチップ・ストリームを提供する。データ・プロセッサ８１４は、その他の物理チャネルに関するトラフィック・データおよびシグナリングを処理し、これら物理チャネルに関するＭ個のチップ・ストリームを提供する。
【００７５】
ＴＸ空間プロセッサ７１４は、ＨＳ−ＰＳＳＣＨのための空間マッパ８３０と、ＨＳ−ＳＣＣＨのための空間マッパ８３２と、その他の物理チャネルのための空間マッパ８３４とを含む。空間マッパ８３０は、１または複数の空間マッピング行列を用いてＨＳ−ＰＤＳＣＨについてＭ個のチップ・ストリームの行列乗算を実行し、マップされたＴ個のチップ・ストリームを提供する。空間マッパ８３２は、ＨＳ−ＳＣＣＨのためにＭ個のチップ・ストリームを空間的にマップし、マップされたＴ個のチップ・ストリームを提供する。ここでＭ≦Ｔである。空間マッパ８３４は、その他の物理チャネルに関するＭ個のチップ・ストリームを空間的にマップし、マップされたＴ個のチップ・ストリームを提供する。コンバイナ８４０は、すべての物理チャネルについてマップされたチップを結合し、Ｔ個のアンテナのために、Ｔ個の出力ストリームを提供する。この結合もまた、空間マッピングの前に実行されうる。
【００７６】
空間マッピング行列は、直交行列（例えば、Ｗａｌｓｈ行列またはフーリエ行列）、アイデンティティ行列、あるいはその他いくつかの行列でありうる。直交行列は、１つのストリームからのチップを、Ｔ個すべてのアンテナへマップする。Ｔ個のアンテナは、空間ダイバーシティを与える。アイデンティティ行列は、単にチップを渡すだけである。すべての端末について、単一の空間マッピング行列が使用され、シグナリングされるか、あるいは演繹的に知られる。割り当てられた時間セグメントについて、おのおのの端末のために、異なる空間マッピング行列もまた使用されうる。異なる空間マッピング行列は、良好なパフォーマンスを達成するために端末または基地局によって選択され、（例えば、ＣＣＳパラメータの残りの値を用いて、あるいは、その他いくつかのシグナリング・ビットを用いて）シグナリングされるか、あるいは演繹的に知られる。空間マッピングは、すべての物理チャネルのために実行されるか、あるいは、例えばＨＳ−ＰＤＳＣＨおよび／またはＨＳ−ＳＣＣＨのようないつかの物理チャネルのみについて実行される。
【００７７】
図９は、連続干渉除去（ＳＩＣ）を実行するＲＸプロセッサ９００のブロック図を示す。ＲＸプロセッサ９００は、図７の端末１２０におけるＭＩＭＯ検出器７５６とＲＸデータ・プロセッサ７６８との典型的な実施形態である。
【００７８】
第１ステージ９１０ａでは、ＭＩＭＯ検出器９１２ａが、ＴＴＩにおいて端末１２０へ割り当てられたすべての時間セグメントにわたって、受信機７５４ａ乃至７５４ｒからＲ個の入力サンプルのストリームを受信し、チャネル推定値を用いて、入力サンプルに関するＭＩＭＯ検出を実行し、復元される第１のストリームのための検出されたサンプルを提供する。ＭＩＭＯ検出器９１２ａは、ＭＭＳＥ、ゼロ・フォーシング（ＺＦ：zero-forcing）、またはその他いくつかのＭＩＭＯ検出スキームを実行する。これらは、チャネル推定値を用いることなく、検出を実行することができる。例えば、チャネル推定値を用いることなく等化器の重みを適応させるために、最小平均平方（ＬＭＳ）スキームまたはその他いくつかのスキームが使用されうる。ＣＤＭＡ復調器９１４ａは、ＨＳＤＰＡのために端末１２０に割り当てられたチャネライゼーション（Ｃｈ）コードを用いて、検出されたサンプルに関するデスクランブルおよび逆拡散を実行し、逆拡散されたシンボルを提供する。シンボル・デマッパ／デコーダ９１６ａは、逆拡散されたシンボルを処理（例えば、ＬＬＲの計算、デインタリーブ、および復号）を行い、第１のストリームに関する復号されたパケットを提供する。
【００７９】
パケットが正確に復号された場合、エンコーダ／シンボル・マッパ９１８ａは、このパケットを符号化、インタリーブ、およびシンボル・マップして、パケットのデータ・シンボルを再生成する。ＣＤＭＡ変調器９２０ａは、この再生成されたシンボルを、ＨＳＤＰＡに関して端末１２０に割り当てられたチャネライゼーション・コードを用いて拡散し、拡散されたシンボルをスクランブルし、第１のストリームに関する再生成されたチップを提供する。空間マッパ９２２ａは、この再生成されたチップを、基地局１１０によって実行されたものと同様の方式でマップし、マップされたチップを提供する。干渉推定部９２４ａは、マップされたチップおよびチャネル推定値に基づいて、第１のストリームによる干渉を推定する。干渉除去ユニット９２６ａは、入力サンプルから干渉推定値を除去し、次のステージのための入力サンプルを提供する。
【００８０】
その後の各ステージは、前のステージからの入力サンプルを受信し、この入力サンプルを、第１のステージと類似した方式で処理し、そのステージによって復元されるストリームに関して復元されたパケットを提供する。パケットが正確に復号されると、復号されたパケットからの干渉が推定され、そのステージの入力サンプルから除去され、次のステージの入力サンプルが得られる
図９に示すように、おのおののストリームについて推定およびキャンセルされる干渉の量は、ＨＳＤＰＡに関して使用されるチャネライゼーション・コードに対する、端末へ割り当てられたチャネライゼーション・コードによって決定される。例えば、図４Ｂに示すように、ＨＳＤＰＡに関し、すべてのチャネライゼーション・コードが端末に割り当てられているのであれば、ＨＳＤＰＡの干渉の合計が推定され、除去される。その後のストリームのＳＩＮＲは、前のストリームからの干渉が除去されることにより改善する。
【００８１】
図９でも示されているように、チャネル推定値は、ＭＩＭＯ検出と干渉推定との両方のために使用される。図４Ｂに示すようなＴＤＭパイロットに基づいて、より高品質のチャネル評価値が取得されうる。別の典型的な実施形態では、所与のストリームに関し、パケットが正確に復号された場合、ＣＤＭＡ復調器９１４からの逆拡散シンボル、および、エンコーダ／シンボル・マッパ９１８からの再生成されたシンボルに基づいて、そのストリームについて、データに基づくチャネル推定値が導出される。このデータに基づくチャネル推定値は、パイロット・ベースのチャネル推定値よりも良好な品質を有しており、より正確な干渉推定値を導出するために、ブロック９２４において用いられる。
【００８２】
図１０は、ダウンリンク送信のために基地局１１０によって実行される処理１０００の典型的な実施形態を示す。ＴＴＩの複数の時間セグメントが、少なくとも１つの端末へ割り当てられる（ブロック１０１２）。フル割当の場合、おのおのの時間セグメントが、１つの端末に割り当てられ、おのおのの端末は、ＴＴＩ内の少なくとも１つの連続した時間セグメントが割り当てられる。部分割当の場合、時間セグメントが、複数の端末に割り当てられ、複数の端末によって共有される。フル割当と部分割当との組み合わせもまた使用される。おのおのの端末へ割り当てられた時間セグメントの番号によって決定される連続順で、複数の時間セグメントが、少なくとも１つの端末へ割り当てられうる。例えば、最大の番号の時間セグメントを持つ端末が、ＴＴＩにおける最初に割り当てられ、最小の番号の時間セグメントを持つ端末が、ＴＴＩにおける最後に割り当てられる。ＭＩＭＯが適用される場合、複数の時間セグメントが、同時に送信される複数のストリームのおのおのに関し、少なくとも１つの端末へ割り当てられうる。おのおのの端末には、複数のストリームにわたって少なくとも１つの時間セグメントが割り当てられる。所与の時間セグメントでは、ストリームにわたって、チャネライゼーション・コードにわたって、あるいは、ストリームとチャネライゼーション・コードとの両方にわたって、別の端末もまた割り当てられる。
【００８３】
おのおのの端末のデータが処理（例えば、符号化およびシンボル・マップ）され、端末へ割り当てられた少なくとも１つの時間セグメントにマップされる（ブロック１０１４）。おのおのの時間セグメントにおけるデータは、ＴＴＩで使用される少なくとも１つのチャネライゼーション・コードを用いて拡散される（ブロック１０１６）。パイロットは、パイロット送信のために指定された少なくとも１つの時間セグメントにマップされ（ブロック１０１８）、ＴＴＩで使用される少なくとも１つのチャネライゼーション・コードを用いて拡散される（ブロック１０２０）。少なくとも１つの端末のためのパイロットおよびデータのために、等しい送信電力を達成するために、パイロットがスケールされる。例えば、端末に割り当てられた開始時間セグメントと、時間セグメントの番号とを伝送するために、おのおのの端末についてシグナリングが生成される（ブロック１０２２）。少なくとも１つの端末とパイロットについて拡散されたデータが、例えばＨＳ−ＰＤＳＣＨで送信される。おのおのの端末のシグナリングが、例えばＨＳ−ＳＣＣＨで送信される。
【００８４】
図１１は、ダウンリンク送信を受信するために、端末１２０によって実行される処理１１００の典型的な実施形態を示す。ＴＴＩの複数の時間セグメントからの少なくとも１つの時間セグメントの割当が受信される（ブロック１１１２）。この割当は、割当における開始時間セグメントと、時間セグメントの番号とを示すシグナリングによって伝送されうる。少なくとも１つの時間セグメントのための入力サンプルが取得される（ブロック１１１４）。入力サンプルは、ＴＴＩで使用される少なくとも１つのチャネライゼーション・コードを用いて逆拡散され、逆拡散されたシンボルが得られる（ブロック１１１６）。少なくとも１つのチャネライゼーション・コードを用いて送信されたパイロットは、パイロット送信のために指定された少なくとも１つの時間セグメントから受信される（ブロック１１１８）。受信したパイロットに基づいて、チャネル推定値および／またはＣＱＩが導出される（ブロック１１２０）。逆拡散されたシンボルについて、チャネル推定値を用いて検出が行われ、検出されたシンボルが取得される（ブロック１１２２）。
【００８５】
ＭＩＭＯが適用される場合、少なくとも１つの時間セグメントの割当が、複数の送信アンテナから同時に送信された複数のストリームのためになされる。少なくとも１つの時間セグメントの入力サンプルが、複数の受信アンテナから取得されうる。複数のストリームのおのおのについて検出されたサンプルを取得するために、ＭＩＭＯ検出が、その入力サンプルについて実行されうる。おのおののストリームについて検出されたサンプルは、そのストリームのための拡散されたシンボルを取得するために、少なくとも１つのチャネライゼーション・コードを用いて逆拡散されうる。おのおののストリームについて、逆拡散されたシンボルが復号されうる。ストリームを正しく復号した後、おのおののストリームによる干渉が推定され、除去される。
【００８６】
図１２は、ダウンリンク送信のために基地局１１０によって実行される処理１２００の実施形態を示す。ＴＴＩに関し、チャネライゼーション・コードの第１のセットが、少なくとも１つの端末からなる第１のセットに割り当てられる（ブロック１２１２）。第１のセットにおけるおのおのの端末は、ＴＴＩ全体にわたり、第１のセットにおける少なくとも１つのチャネライゼーション・コードが割り当てられる。第１のセットにおけるおのおのの端末のためのデータが、端末に割り当てられた少なくとも１つのチャネライゼーション・コードを用いて拡散される（ブロック１２１４）。ＴＤＭパイロットが、第１のセット内のチャネライゼーション・コードに基づいて生成される（ブロック１２１６）。ＴＤＭパイロットは、ＴＴＩ内の時間セグメントへマップされる（ブロック１２１８）。少なくとも１つの端末からなる第１のセットについて拡散されたデータが、ＴＴＩの残りの部分にマップされる（ブロック１２２０）。
【００８７】
第１の実施形態では、ＴＤＭパイロットは、レガシー・ユーザおよび非ＨＳＤＰＡユーザのデータをパンクチャしない。ＴＴＩに関し、チャネライゼーション・コードの第２のセットが、少なくとも１つの端末の第２のセットへ割り当てられる（ブロック１２２２）。第２のセットにおけるおのおのの端末のデータが、端末に割り当てられた少なくとも１つのチャネライゼーション・コードを用いて拡散されうる（ブロック１２２４）。少なくとも１つの端末の第２のセットについて拡散されたデータが、ＴＴＩ全体にわたってマップされうる（ブロック１２２６）。第１のセットおよび第２のセットにおけるチャネライゼーション・コードは、同じ拡散係数（例えば、ＳＦ＝１６）を持ち、端末の第１のセットは、新たなユーザ用であり、端末の第２のセットは、レガシー・ユーザ用である。あるいは、第２のセットにおけるチャネライゼーション・コードは、第１のセットにおけるチャネライゼーション・コードよりも大きな拡散係数を有し、端末の第１のセットは、新たなユーザ用であり、端末の第２のセットは、非ＨＳＤＰＡユーザ用である。
【００８８】
第２の実施形態では、ＴＤＭパイロットが、レガシー・ユーザおよび／または非ＨＳＤＰＡユーザのデータをパンクチャする。この場合、ブロック１２２２、１２２４、および１２２６は、以下のように交換することができる。ＴＴＩに関し、チャネライゼーション・コードの第２のセットが、少なくとも１つの端末の第２のセットに割り当てられる。第２のセットにおける少なくとも１つの端末は、レガシー・ユーザおよび／または非ＨＳＤＰＡユーザ用であり、ＴＤＭパイロットを処理することはできない。第２のセットにおけるおのおのの端末のためのデータが、端末に割り当てられた少なくとも１つのチャネライゼーション・コードを用いて拡散されうる。少なくとも１つの端末の第２のセットについて、拡散されたデータが、ＴＴＩの残りの部分にマップされうる。ＴＤＭパイロットはさらに、第２のセット内のチャネライゼーション・コードに基づいて生成されうる。
【００８９】
第３の実施形態では、ＴＤＭパイロットが、レガシー・ユーザのデータをパンクチャするが、非ＨＳＤＰＡユーザのデータをパンクチャしない。この場合、第２の実施形態について上述した少なくとも１つの端末の第２のセットは、レガシー・ユーザ用である。ＴＴＩに関し、チャネライゼーション・コードの第３のセットが、少なくとも１つの端末の第３のセットへ割り当てられる。第３のセットにおける少なくとも１つの端末もまた、ＴＤＭパイロットを処理することができない。第３のセットにおけるおのおのの端末のデータは、端末へ割り当てられた少なくとも１つのチャネライゼーション・コードを用いて拡散されうる。少なくとも１つの端末の第３のセットについて拡散されたデータが、ＴＴＩ全体にわたってマップされうる。
【００９０】
ＴＴＩは、３つのスロットを占有し、ＴＤＭパイロットの時間セグメントは、ＴＴＩの中央スロット内に位置するか、あるいは、ＴＴＩ内のその他のある場所に位置する。少なくとも１つの端末の第１のセットについて拡散されたデータと、ＴＤＭパイロットとが、例えばＨＳ−ＰＤＳＣＨで送信されうる。第１のセット内のおのおのの端末のシグナリングが、例えばＨＳ−ＳＣＣＨで送信されうる。
【００９１】
図１３は、ダウンリンク送信を受信するために端末１２０によって実行される処理１３００の実施形態を示す。ＴＴＩに関し、端末のための少なくとも１つのチャネライゼーション・コードの割当が、受信される（ブロック１３１２）。ＴＤＭパイロットが、ＴＴＩ内の時間セグメントから受信される。ここで、ＴＤＭパイロットは、端末に割り当てられた少なくとも１つのチャネライゼーション・コードを含むチャネライゼーション・コードの第１のセットに基づいて生成される（ブロック１３１４）。ＴＴＩの残りの部分から、データが受信される（ブロック１３１６）。受信されたデータは、端末に割り当てられた少なくとも１つのチャネライゼーション・コードに基づいて逆拡散される（ブロック１３１８）。
【００９２】
ＴＤＭパイロットに基づいてチャネル推定値が導出される。そして、受信したデータを取得するために、チャネル推定値に基づいてデータ・チャネル（例えば、ＨＳ−ＰＤＳＣＨ）が処理されうる。ＴＤＭパイロットは、前のＴＴＩからも受信され、このＴＤＭパイロットに基づいてチャネル推定値が導出される。そして、チャネルのための少なくとも１つのチャネライゼーション・コードの割当を取得するために、このチャネル推定値に基づいて、シグナリング・チャネル（例えば、ＨＳ−ＳＣＣＨ）が処理される。
【００９３】
第１のセットにおけるチャネライゼーション・コードが、ＴＤＭパイロットを処理することができる端末に割り当てられる。この場合、ＴＤＭパイロットは、どの端末のデータもパンクチャしない。あるいは、第１のセットにおける少なくとも１つのチャネライゼーション・コードが、ＴＤＭパイロットを処理できない端末に割り当てられる。そして、ＴＤＭパイロットは、この端末のデータをパンクチャするだろう。
【００９４】
明確化のために、これら技術は、３ＧＰＰにおけるＨＳＤＰＡに関して具体的に記載された。これら技術はまた、他のラジオ技術を実施する他の無線通信ネットワークのためにも使用される。例えば、これら技術は、ＩＳ−２０００リリース０およびＡを実施するＣＤＭＡ２０００  １Ｘネットワーク、ＩＳ−２０００リリースＣを実施するＣＤＭＡ２０００  １×ＥＶ−ＤＯネットワーク、ＩＳ−８５６を実施するＣＤＭＡ２０００  １×ＥＶ−ＤＯネットワーク等のために使用される。ｃｄｍａ２０００は、フォワード・パケット・データ・チャネル（Ｆ−ＰＤＣＨ）、および、フォワード・パケット・データ制御チャネル（Ｆ−ＰＤＣＣＨ）を用いる。これらは、ＨＳ−ＰＤＳＣＨおよびＨＳ−ＳＣＣＨにそれぞれ対応する。Ｆ−ＰＤＣＨのフォーマット／構造は、例えば図４Ａおよび図４Ｂに示すように実現される。
【００９５】
当業者であれば、情報および信号は、さまざまな異なる技術および技法のうちの何れかを用いて表されることを理解するだろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００９６】
当業者であれば、さらに、本明細書で開示された典型的な実施形態に関連して記載されたさまざまな例示的な論理ブロック、モジュール、回路、およびアルゴリズム・ステップが、電子ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記述された。それら機能がハードウェアとしてまたはソフトウェアとして実現されるかは、特定のアプリケーションおよびシステム全体に課せられている設計制約に依存する。当業者であれば、各特定のアプリケーションに応じて変化する方法で上述した機能を実現することができる。しかしながら、この適用判断は、本開示の範囲からの逸脱をもたらすものと解釈されるべきではない。
【００９７】
本明細書で開示された典型的な実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアに接続された１または複数のマイクロプロセッサ、またはその他任意のこのような構成である計算デバイスの組み合わせとして実現することも可能である。
【００９８】
本明細書で開示された典型的な実施形態に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。または、記憶媒体はプロセッサに統合されることができる。このプロセッサと記憶媒体とは、ＡＳＩＣ内に存在することができる。ＡＳＩＣは、ユーザ端末内に存在することもできる。あるいはプロセッサと記憶媒体とは、ユーザ端末内のディスクリート部品として存在することができる。
【００９９】
開示された典型的な実施形態の上記記載は、当業者をして、本発明の製造または利用を可能とするように提供される。これら典型的な実施形態に対するさまざまな変形例もまた、当業者には明らかであって、本明細書で定義された一般的な原理は、本発明の主旨または範囲から逸脱することなくその他の実施形態にも適用されうる。したがって、本発明は、本明細書で示された典型的な実施形態に限定されるものではなく、本明細書で開示された原理および新規な特徴に一致した最も広い範囲に相当することが意図されている。
以下に本願発明の当初の特許請求の範囲に記載された発明を付記する。
［Ｃ１］
無線通信のための装置であって、
送信時間インタバル（ＴＴＩ）に関し、チャネライゼーション・コードの第１のセットを、少なくとも１つの端末の第１のセットに割り当て、
前記第１のセットにおけるおのおのの端末のデータを、前記端末に割り当てられた少なくとも１つのチャネライゼーション・コードを用いて拡散し、
前記第１のセットにおけるチャネライゼーション・コードに基づいて、時分割多重化（ＴＤＭ）パイロットを生成し、
前記ＴＤＭパイロットを、前記ＴＴＩ内の時間セグメントにマップし、
前記少なくとも１つの端末の第１のセットについて拡散されたデータを、前記ＴＴＩの残りの部分にマップする
少なくとも１つのプロセッサと、
前記少なくとも１つのプロセッサに結合されたメモリと
を備える装置。
［Ｃ２］
前記少なくとも１つのプロセッサは、前記ＴＴＩ全体にわたって、前記第１のセットにおけるおのおのの端末へ、少なくとも１つのチャネライゼーション・コードを割り当てるＣ１に記載の装置。
［Ｃ３］
前記少なくとも１つのプロセッサは、
前記ＴＴＩに関し、チャネライゼーション・コードの第２のセットを、少なくとも１つの端末の第２のセットに割り当て、
前記第２のセットにおけるおのおのの端末のデータを、前記端末に割り当てられた少なくとも１つのチャネライゼーション・コードを用いて拡散し、
前記ＴＴＩ全体にわたって、前記少なくとも１つの端末の第２のセットについて、拡散されたデータをマップする
Ｃ１に記載の装置。
［Ｃ４］
前記第１のセットにおけるチャネライゼーション・コードと、前記第２のセットにおけるチャネライゼーション・コードとは、同じ拡散係数を有するＣ３に記載の装置。
［Ｃ５］
前記第２のセットにおけるチャネライゼーション・コードは、前記第１のセットにおけるチャネライゼーション・コードよりも大きな拡散係数を有するＣ３に記載の装置。
［Ｃ６］
前記少なくとも１つのプロセッサは、
前記ＴＴＩに関し、チャネライゼーション・コードの第２のセットを、少なくとも１つの端末の第２のセットに割り当て、
前記第２のセットにおけるおのおのの端末のデータを、前記端末に割り当てられた少なくとも１つのチャネライゼーション・コードを用いて拡散し、
前記少なくとも１つの端末の第２のセットについて拡散されたデータを、前記ＴＴＩの残りの部分にマップし、
さらに前記第２のセットにおけるチャネライゼーション・コードに基づいて、前記ＴＤＭパイロットを生成し、
前記第２のセットにおける少なくとも１つの端末は、前記ＴＤＭパイロットを処理することができないＣ１に記載の装置。
［Ｃ７］
前記第１のセットにおけるチャネライゼーション・コードと、前記第２のセットにおけるチャネライゼーション・コードとは、等しい拡散係数を有するＣ６に記載の装置。
［Ｃ８］
前記少なくとも１つのプロセッサは、
前記ＴＴＩに関し、チャネライゼーション・コードの第３のセットを、少なくとも１つの端末の第３のセットに割り当て、
前記第３のセットにおけるおのおのの端末のデータを、前記端末に割り当てられた少なくとも１つのチャネライゼーション・コードを用いて拡散し、
前記少なくとも１つの端末の第３のセットについて拡散されたデータを、前記ＴＴＩ全体にわたってマップし、
前記第３のセットにおける少なくとも１つの端末は、前記ＴＤＭパイロットを処理することができないＣ７に記載の装置。
［Ｃ９］
前記ＴＴＩは、３つのスロットを備え、前記ＴＤＭパイロットの時間セグメントは、前記ＴＴＩの中央のスロット内に位置するＣ１に記載の装置。
［Ｃ１０］
前記少なくとも１つのプロセッサは、
前記ＴＤＭパイロット、および、少なくとも１つの端末の第１のセットについて拡散されたデータを、高速物理ダウンリンク共有チャネル（ＨＳ−ＰＤＳＣＨ）で送信し、
前記第１のセットにおけるおのおのの端末に向けられたシグナリングを、ＨＳ−ＰＤＳＣＨの共有制御チャネル（ＨＳ−ＨＣＣＨ）で送信する
Ｃ１に記載の装置。
［Ｃ１１］
無線通信のための方法であって、
送信時間インタバル（ＴＴＩ）に関し、チャネライゼーション・コードの第１のセットを、少なくとも１つの端末の第１のセットに割り当てることと、
前記第１のセットにおけるおのおのの端末のデータを、前記端末に割り当てられた少なくとも１つのチャネライゼーション・コードを用いて拡散することと、
前記第１のセットにおけるチャネライゼーション・コードに基づいて、時分割多重化（ＴＤＭ）パイロットを生成することと、
前記ＴＤＭパイロットを、前記ＴＴＩ内の時間セグメントにマップすることと、
前記少なくとも１つの端末の第１のセットについて拡散されたデータを、前記ＴＴＩの残りの部分にマップすることと
を備える方法。
［Ｃ１２］
前記チャネライゼーション・コードの第１のセットを割り当てることは、前記ＴＴＩ全体にわたって、前記第１のセットにおけるおのおのの端末へ、少なくとも１つのチャネライゼーション・コードを割り当てることを備えるＣ１１に記載の方法。
［Ｃ１３］
前記ＴＴＩに関し、チャネライゼーション・コードの第２のセットを、少なくとも１つの端末の第２のセットに割り当てることと、
前記第２のセットにおけるおのおのの端末のデータを、前記端末に割り当てられた少なくとも１つのチャネライゼーション・コードを用いて拡散することと、
前記ＴＴＩ全体にわたって、前記少なくとも１つの端末の第２のセットについて、拡散されたデータをマップすることと
をさらに備えるＣ１１に記載の方法。
［Ｃ１４］
前記ＴＴＩに関し、チャネライゼーション・コードの第２のセットを、少なくとも１つの端末の第２のセットに割り当てることと、
前記第２のセットにおけるおのおのの端末のデータを、前記端末に割り当てられた少なくとも１つのチャネライゼーション・コードを用いて拡散することと、
前記少なくとも１つの端末の第２のセットについて拡散されたデータを、前記ＴＴＩの残りの部分にマップすることと、
さらに前記第２のセットにおけるチャネライゼーション・コードに基づいて、前記ＴＤＭパイロットを生成することと、をさらに備え、
前記第２のセットにおける少なくとも１つの端末は、前記ＴＤＭパイロットを処理することができないＣ１１に記載の方法。
［Ｃ１５］
無線通信のための装置であって、
送信時間インタバル（ＴＴＩ）に関し、チャネライゼーション・コードの第１のセットを、少なくとも１つの端末の第１のセットに割り当てる手段と、
前記第１のセットにおけるおのおのの端末のデータを、前記端末に割り当てられた少なくとも１つのチャネライゼーション・コードを用いて拡散する手段と、
前記第１のセットにおけるチャネライゼーション・コードに基づいて、時分割多重化（ＴＤＭ）パイロットを生成する手段と、
前記ＴＤＭパイロットを、前記ＴＴＩ内の時間セグメントにマップする手段と、
前記少なくとも１つの端末の第１のセットについて拡散されたデータを、前記ＴＴＩの残りの部分にマップする手段と
を備える装置。
［Ｃ１６］
前記ＴＴＩに関し、チャネライゼーション・コードの第２のセットを、少なくとも１つの端末の第２のセットに割り当てる手段と、
前記第２のセットにおけるおのおのの端末のデータを、前記端末に割り当てられた少なくとも１つのチャネライゼーション・コードを用いて拡散する手段と、
前記少なくとも１つの端末の第２のセットについて拡散されたデータを、前記ＴＴＩ全体にわたってマップする手段と
をさらに備えるＣ１５に記載の装置。
［Ｃ１７］
前記ＴＴＩに関し、チャネライゼーション・コードの第２のセットを、少なくとも１つの端末の第２のセットに割り当てる手段と、
前記第２のセットにおけるおのおのの端末のデータを、前記端末に割り当てられた少なくとも１つのチャネライゼーション・コードを用いて拡散する手段と、
前記少なくとも１つの端末の第２のセットについて拡散されたデータを、前記ＴＴＩの残りの部分にマップする手段と、
さらに前記第２のセットにおけるチャネライゼーション・コードに基づいて、前記ＴＤＭパイロットを生成する手段と、をさらに備え、
前記第２のセットにおける少なくとも１つの端末は、前記ＴＤＭパイロットを処理することができないＣ１５に記載の装置。
［Ｃ１８］
無線通信のための装置であって、
送信時間インタバル（ＴＴＩ）に関し、少なくとも１つのチャネライゼーション・コードの端末に対する割り当てを受信し、
前記ＴＴＩ内の時間セグメントから、時分割多重化（ＴＤＭ）パイロットを受信し、
前記ＴＴＩの残りの部分から、データを受信し、
前記受信したデータを、前記端末に割り当てられた少なくとも１つのチャネライゼーション・コードを用いて逆拡散する
少なくとも１つのプロセッサと、
前記少なくとも１つのプロセッサに結合されたメモリと、を備え、
前記ＴＤＭパイロットは、前記端末に割り当てられた少なくとも１つのチャネライゼーション・コードを含むチャネライゼーション・コードの第１のセットに基づいて生成される装置。
［Ｃ１９］
前記少なくとも１つのプロセッサは、前記ＴＤＭパイロットに基づいてチャネル推定値を導出し、前記受信したデータを取得するために、前記チャネル推定値に基づいてデータ・チャネルを処理するＣ１８に記載の装置。
［Ｃ２０］
前記少なくとも１つのプロセッサは、
前のＴＴＩからＴＤＭパイロットを受信し、
前記前のＴＴＩからのＴＤＭパイロットに基づいてチャネル推定値を導出し、
前記端末に対する、前記少なくとも１つのチャネライゼーション・コードの割り当てを取得するために、前記チャネル推定値に基づいてシグナリング・チャネルを処理する
Ｃ１８に記載の装置。
［Ｃ２１］
前記第１のセットにおけるチャネライゼーション・コードは、前記ＴＤＭパイロットを処理することが可能な端末に割り当てられるＣ１８に記載の装置。
［Ｃ２２］
前記第１のセットにおける少なくとも１つのチャネライゼーション・コードは、前記ＴＤＭパイロットを処理することができない端末に割り当てられるＣ１８に記載の装置。
［Ｃ２３］
無線通信のための方法であって、
送信時間インタバル（ＴＴＩ）に関し、少なくとも１つのチャネライゼーション・コードの端末に対する割り当てを受信することと、
前記ＴＴＩ内の時間セグメントから、時分割多重化（ＴＤＭ）パイロットを受信することと、
前記ＴＴＩの残りの部分から、データを受信することと、
前記受信したデータを、前記端末に割り当てられた少なくとも１つのチャネライゼーション・コードを用いて逆拡散することと、を備え、
前記ＴＤＭパイロットは、前記端末に割り当てられた少なくとも１つのチャネライゼーション・コードを含むチャネライゼーション・コードの第１のセットに基づいて生成される方法。
［Ｃ２４］
前記ＴＤＭパイロットに基づいてチャネル推定値を導出することと、
前記受信したデータを取得するために、前記チャネル推定値に基づいてデータ・チャネルを処理することと
をさらに備えるＣ２３に記載の方法。
［Ｃ２５］
前のＴＴＩからＴＤＭパイロットを受信することと、
前記前のＴＴＩからのＴＤＭパイロットに基づいてチャネル推定値を導出することと、
前記端末に対する、前記少なくとも１つのチャネライゼーション・コードの割り当てを取得するために、前記チャネル推定値に基づいてシグナリング・チャネルを処理することと
をさらに備えるＣ２３に記載の方法。
【図１】
0005551287.tif 000004
【図２】
0005551287.tif 000005
【図３】
0005551287.tif 000006
【図４Ａ】
0005551287.tif 000007
【図４Ｂ】
0005551287.tif 000008
【図４Ｃ】
0005551287.tif 000009
【図４Ｄ】
0005551287.tif 000010
【図５Ａ】
0005551287.tif 000011
【図５Ｂ】
0005551287.tif 000012
【図６】
0005551287.tif 000013
【図７】
0005551287.tif 000014
【図８】
0005551287.tif 000015
【図９】
0005551287.tif 000016
【図１０】
0005551287.tif 000017
【図１１】
0005551287.tif 000018
【図１２】
0005551287.tif 000019
【図１３】
0005551287.tif 000020